(57)【要約】  本開示の幾つかの態様は、物理（ＰＨＹ）層およびメディアアクセス制御（ＭＡＣ）層シグナリングを使用する即時応答リソース割り振りに関する。本開示の幾つかの態様は、ワイヤレス通信のための装置を提供する。装置は、概して、ＰＨＹヘッダとＭＡＣペイロードとを有する第１のフレームを得るように構成された第１のインタフェースと、第１のフレームのＰＨＹヘッダにおいて提供された指示に基づいて、第１のフレームへの応答フレームがある期間内に送信されるべきであると決定するように構成された処理システムと、を含む。これは、装置がＭＡＣペイロードを復号する前に即時応答を生成および送信することを開始することを可能にし得る。
2017539175.tif 000002
【特許請求の範囲】
【請求項１】
ワイヤレス通信のための装置であって、
物理層（ＰＨＹ）ヘッダとメディアアクセス制御（ＭＡＣ）ペイロードとを有する第１のフレームを得るように構成された第１のインタフェースと、
前記第１のフレームの前記ＰＨＹヘッダにおいて提供された指示に基づいて、前記第１のフレームへの応答フレームがある期間内に送信されるべきであると決定するように構成された処理システムと、を備える、ワイヤレス通信のための装置。
【請求項２】
前記処理システムは、前記決定に基づいて前記応答フレームを生成するように構成され、および、
前記装置は、前記ある期間内での送信のために前記応答フレームを出力するように構成された第２のインタフェースをさらに備える、
請求項１に記載の装置。
【請求項３】
前記処理システムは、前記第１のフレームに関して使用される１つまたは複数のＰＨＹ送信パラメータおよびモードに基づいて、前記応答フレームに関する１つまたは複数のＰＨＹ送信パラメータおよびモードを決定するように構成される、
請求項１に記載の装置
【請求項４】
前記処理システムは、前記第１のフレームに関して使用される帯域幅に基づいて、前記応答フレームに関する帯域幅を決定するように構成される、
請求項１に記載の装置。
【請求項５】
前記処理システムは、
前記第１のフレームの前記ＭＡＣペイロードを復号し、
前記第１のフレームの前記復号されたＭＡＣペイロードに基づいて前記応答フレームに関するＭＡＣ内容物を決定し、および、
前記決定されたＭＡＣ内容物を有する前記応答フレームを生成するように構成される、
請求項１に記載の装置。
【請求項６】
前記処理システムは、前記ＭＡＣペイロードを復号することが完了する前に前記応答フレームの少なくとも第１の部分を生成するように構成される、
請求項５に記載の装置。
【請求項７】
前記第１の部分は、前記応答フレームの少なくともＰＨＹヘッダを備える、
請求項６に記載の装置。
【請求項８】
前記応答フレームは、データフレーム、肯定応答（ＡＣＫ）フレーム、ブロックＡＣＫ（ＢＡ）フレーム、または送信クリア（ＣＴＳ）フレームのうちの１つを備える、
請求項１に記載の装置。
【請求項９】
前記第１のフレームの前記ＰＨＹヘッダにおいて提供された前記指示は、前記装置のＭＡＣアドレス、前記装置の部分的ＭＡＣアドレス、前記装置の関連性識別子（ＡＩＤ）、または前記第１のフレームのソースのＭＡＣアドレスを備える、
請求項１に記載の装置。
【請求項１０】
ワイヤレス通信のための装置であって、
物理層（ＰＨＹ）ヘッダとメディアアクセス制御（ＭＡＣ）ペイロードとを有する第１のフレームを生成するようにおよび前記第１のフレームへの応答フレームがある期間内に送信されるべきである旨の指示を前記第１のフレームの前記ＰＨＹヘッダにおいて提供するように構成された処理システムと、
送信のために前記第１のフレームを出力するように構成された第１のインタフェースと、を備える、ワイヤレス通信のための装置。
【請求項１１】
前記ＭＡＣペイロードは、ＭＡＣプロトコルデータユニット（ＭＰＤＵ）、アグリゲーテッドＭＰＤＵ（Ａ−ＭＰＤＵ）、または送信要求（ＲＴＳ）フレームのうちの１つを備える、
請求項１０に記載の装置。
【請求項１２】
前記第１のフレームの前記ＰＨＹヘッダにおいて提供された前記指示は、１つまたは複数のデバイスのＭＡＣアドレス、前記１つまたは複数のデバイスの部分的ＭＡＣアドレス、前記１つまたは複数のデバイスの関連性識別子（ＡＩＤ）、または前記装置のＭＡＣアドレスのうちの少なくとも１つを備える、
請求項１０に記載の装置。
【請求項１３】
前記第１のフレームの前記ＰＨＹヘッダにおいて提供された前記指示は、前記応答フレームに関する１つまたは複数のＰＨＹ送信パラメータとモードとを備える、
請求項１０に記載の装置。
【請求項１４】
前記１つまたは複数のＰＨＹ送信パラメータは、前記応答フレームが単一ユーザ（ＳＵ）または複数ユーザ（ＭＵ）フレームのいずれとして送信されるべきであるかの指示、前記応答フレームに関する帯域幅、前記応答フレームに関する変調およびコーディング方式（ＭＳＣ）、前記応答フレームに関するガード間隔（ＧＩ）、前記応答フレームに関する空間ストリームの数、または前記応答フレームの継続時間のうちの少なくとも１つを備える、
請求項１３に記載の装置。
【請求項１５】
前記指示は、前記第１のフレームの前記ＰＨＹヘッダのブロードキャストフィールドを介して提供される、
請求項１０に記載の装置。
【請求項１６】
ワイヤレス通信のための方法であって、
物理層（ＰＨＹ）ヘッダとメディアアクセス制御（ＭＡＣ）ペイロードとを有する第１のフレームを得ることと、
前記第１のフレームの前記ＰＨＹヘッダにおいて提供された指示に基づいて、前記第１のフレームへの応答フレームがある期間内に送信されるべきであると決定することと、を備える、ワイヤレス通信のための方法。
【請求項１７】
前記決定に基づいて前記応答フレームを生成することと、
前記ある期間内での送信のために前記応答フレームを出力することと、をさらに備える、
請求項１６に記載の方法。
【請求項１８】
前記第１のフレームに関して使用される１つまたは複数のＰＨＹ送信パラメータおよびモードに基づいて、前記応答フレームに関する１つまたは複数のＰＨＹ送信パラメータおよびモードを決定することをさらに備える、
請求項１６に記載の方法。
【請求項１９】
前記第１のフレームに関して使用される帯域幅に基づいて、前記応答フレームに関する帯域幅を決定することをさらに備える、
請求項１６に記載の方法。
【請求項２０】
前記第１のフレームの前記ＭＡＣペイロードを復号することと、
前記第１のフレームの前記復号されたＭＡＣペイロードに基づいて前記応答フレームに関するＭＡＣ内容物を決定することと、
前記決定されたＭＡＣ内容物を有する前記応答フレームを生成することと、をさらに備える、
請求項１６に記載の方法。
【請求項２１】
前記ＭＡＣペイロードを復号することが完了する前に前記応答フレームの少なくとも第１の部分が生成される、
請求項２０に記載の方法。
【請求項２２】
前記第１の部分は、前記応答フレームの少なくともＰＨＹヘッダを備える、
請求項２１に記載の方法。
【請求項２３】
前記応答フレームは、データフレーム、肯定応答（ＡＣＫ）フレーム、ブロックＡＣＫ（ＢＡ）フレーム、または送信クリア（ＣＴＳ）フレームのうちの１つを備える、
請求項１６に記載の方法。
【請求項２４】
前記第１のフレームの前記ＰＨＹヘッダにおいて提供された前記指示は、前記装置のＭＡＣアドレス、前記装置の部分的ＭＡＣアドレス、前記装置の関連性識別子（ＡＩＤ）、または前記第１のフレームのソースのＭＡＣアドレスを備える、
請求項１６に記載の方法。
【請求項２５】
ワイヤレス通信のための方法であって、
物理層（ＰＨＹ）ヘッダとメディアアクセス制御（ＭＡＣ）ペイロードとを有する第１のフレームを生成することと、
前記第１のフレームへの応答フレームがある期間内に送信されるべきである旨の指示を前記第１のフレームの前記ＰＨＹヘッダにおいて提供することと、
送信のために前記第１のフレームを出力することと、を備える、ワイヤレス通信のための方法。
【請求項２６】
前記ＭＡＣペイロードは、ＭＡＣプロトコルデータユニット（ＭＰＤＵ）、アグリゲーテッドＭＰＤＵ（Ａ−ＭＰＤＵ）、または送信要求（ＲＴＳ）フレームのうちの１つを備える、
請求項２５に記載の方法。
【請求項２７】
前記第１のフレームの前記ＰＨＹヘッダにおいて提供された前記指示は、１つまたは複数のデバイスのＭＡＣアドレス、前記１つまたは複数のデバイスの部分的ＭＡＣアドレス、前記１つまたは複数のデバイスの関連性識別子（ＡＩＤ）、または前記装置のＭＡＣアドレスのうちの少なくとも１つを備える、
請求項２５に記載の方法。
【請求項２８】
前記第１のフレームの前記ＰＨＹヘッダにおいて提供された前記指示は、前記応答フレームに関する１つまたは複数のＰＨＹ送信パラメータとモードとを備える、
請求項２５に記載の方法。
【請求項２９】
前記１つまたは複数のＰＨＹ送信パラメータは、前記応答フレームが単一ユーザ（ＳＵ）または複数ユーザ（ＭＵ）フレームのいずれとして送信されるべきであるかの指示、前記応答フレームに関する帯域幅、前記応答フレームに関する変調およびコーディング方式（ＭＳＣ）、前記応答フレームに関するガード間隔（ＧＩ）、前記応答フレームに関する空間ストリームの数、または前記応答フレームの継続時間のうちの少なくとも１つを備える、
請求項２８に記載の方法。
【請求項３０】
前記指示は、前記第１のフレームの前記ＰＨＹヘッダのブロードキャストフィールドを介して提供される、
請求項２５に記載の方法。
【請求項３１】
ワイヤレス通信のための装置であって、
物理層（ＰＨＹ）ヘッダとメディアアクセス制御（ＭＡＣ）ペイロードとを有する第１のフレームを得るための手段と、
前記第１のフレームの前記ＰＨＹヘッダにおいて提供された指示に基づいて、前記第１のフレームへの応答フレームがある期間内に送信されるべきであると決定するための手段と、を備える、ワイヤレス通信のための装置。
【請求項３２】
前記決定に基づいて前記応答フレームを生成するための手段と、
前記ある期間内での送信のために前記応答フレームを出力するための手段と、をさらに備える、
請求項３１に記載の装置。
【請求項３３】
前記第１のフレームに関して使用される１つまたは複数のＰＨＹ送信パラメータおよびモードに基づいて、前記応答フレームに関する１つまたは複数のＰＨＹ送信パラメータおよびモードを決定するための手段をさらに備える、
請求項３１に記載の装置
【請求項３４】
前記第１のフレームに関して使用される帯域幅に基づいて、前記応答フレームに関する帯域幅を決定するための手段をさらに備える、
請求項３１に記載の装置。
【請求項３５】
前記第１のフレームの前記ＭＡＣペイロードを復号するための手段と、
前記第１のフレームの前記復号されたＭＡＣペイロードに基づいて前記応答フレームに関するＭＡＣ内容物を決定するための手段と、
前記決定されたＭＡＣ内容物を有する前記応答フレームを生成するための手段と、をさらに備える、
請求項３１に記載の装置。
【請求項３６】
前記ＭＡＣペイロードを復号することが完了する前に前記応答フレームの少なくとも第１の部分が生成される、
請求項３５に記載の装置。
【請求項３７】
前記第１の部分は、前記応答フレームの少なくともＰＨＹヘッダを備える、
請求項３６に記載の装置。
【請求項３８】
前記応答フレームは、データフレーム、肯定応答（ＡＣＫ）フレーム、ブロックＡＣＫ（ＢＡ）フレーム、または送信クリア（ＣＴＳ）フレームのうちの１つを備える、
請求項３１に記載の装置。
【請求項３９】
前記第１のフレームの前記ＰＨＹヘッダにおいて提供された前記指示は、前記装置のＭＡＣアドレス、前記装置の部分的ＭＡＣアドレス、前記装置の関連性識別子（ＡＩＤ）、または前記第１のフレームのソースのＭＡＣアドレスを備える、
請求項３１に記載の装置。
【請求項４０】
ワイヤレス通信のための装置であって、
物理層（ＰＨＹ）ヘッダとメディアアクセス制御（ＭＡＣ）ペイロードとを有する第１のフレームを生成するための手段と、
前記第１のフレームへの応答フレームがある期間内に送信されるべきである旨の指示を前記第１のフレームの前記ＰＨＹヘッダにおいて提供するための手段と、
送信のために前記第１のフレームを出力するための手段と、を備える、ワイヤレス通信のための装置。
【請求項４１】
前記ＭＡＣペイロードは、ＭＡＣプロトコルデータユニット（ＭＰＤＵ）、アグリゲーテッドＭＰＤＵ（Ａ−ＭＰＤＵ）、または送信要求（ＲＴＳ）フレームのうちの１つを備える、
請求項４０に記載の装置。
【請求項４２】
前記第１のフレームの前記ＰＨＹヘッダにおいて提供された前記指示は、１つまたは複数のデバイスのＭＡＣアドレス、前記１つまたは複数のデバイスの部分的ＭＡＣアドレス、前記１つまたは複数のデバイスの関連性識別子（ＡＩＤ）、または前記装置のＭＡＣアドレスのうちの少なくとも１つを備える、
請求項４０に記載の装置。
【請求項４３】
前記第１のフレームの前記ＰＨＹヘッダにおいて提供された前記指示は、前記応答フレームに関する１つまたは複数のＰＨＹ送信パラメータとモードとを備える、
請求項４０に記載の装置。
【請求項４４】
前記１つまたは複数のＰＨＹ送信パラメータは、前記応答フレームが単一ユーザ（ＳＵ）または複数ユーザ（ＭＵ）フレームのいずれとして送信されるべきであるかの指示、前記応答フレームに関する帯域幅、前記応答フレームに関する変調およびコーディング方式（ＭＳＣ）、前記応答フレームに関するガード間隔（ＧＩ）、前記応答フレームに関する空間ストリームの数、または前記応答フレームの継続時間のうちの少なくとも１つを備える、
請求項４３に記載の装置。
【請求項４５】
前記指示は、前記第１のフレームの前記ＰＨＹヘッダのブロードキャストフィールドを介して提供される、
請求項４０に記載の装置。
【請求項４６】
無線局であって、
少なくとも１本のアンテナと、
前記少なくとも１本のアンテナを介して、物理層（ＰＨＹ）ヘッダとメディアアクセス制御（ＭＡＣ）ペイロードとを有する第１のフレームを受信するように構成された受信機と、
前記第１のフレームの前記ＰＨＹヘッダにおいて提供された指示に基づいて、前記第１のフレームへの応答フレームがある期間内に送信されるべきであると決定するように構成された処理システムと、を備える、無線局。
【請求項４７】
アクセスポイントであって、
少なくとも１本のアンテナと、
物理（ＰＨＹ）層とメディアアクセス制御（ＭＡＣ）ペイロードとを有する第１のフレームを生成するようにおよび前記第１のフレームへの応答フレームがある期間内に送信されるべきである旨の指示を前記第１のフレームの前記ＰＨＹヘッダにおいて提供するように構成された処理システムと、
前記少なくとも１本のアンテナを介して、送信のために前記第１のフレームを送信するように構成された送信機と、を備える、アクセスポイント。
【請求項４８】
コンピュータ可読媒体であって、
物理層（ＰＨＹ）ヘッダとメディアアクセス制御（ＭＡＣ）ペイロードとを有する第１のフレームを得、および、
前記第１のフレームの前記ＰＨＹヘッダにおいて提供された指示に基づいて、前記第１のフレームへの応答フレームがある期間内に送信されるべきであると決定するために格納された命令を有する、コンピュータ可読媒体。
【請求項４９】
コンピュータ可読媒体であって、
物理層（ＰＨＹ）ヘッダとメディアアクセス制御（ＭＡＣ）ペイロードとを有する第１のフレームを生成し、
前記第１のフレームへの応答フレームがある期間内に送信されるべきである旨の指示を前記第１のフレームの前記ＰＨＹヘッダにおいて提供し、および、
送信のために前記第１のフレームを出力するために格納された命令を有する、コンピュータ可読媒体。
【発明の詳細な説明】
【技術分野】
【０００１】
[0002]本開示の幾つかの態様は、概して、ワイヤレス通信に関し、より具体的には、物理（ＰＨＹ）層およびメディアアクセス制御（ＭＡＣ）層シグナリングを使用する即時応答リソース割り振りに関する。
【０００２】
[３５U．Ｓ．Ｃ．§１１９に基づく優先権の主張]
[0001]本出願は、本明細書の譲受人に譲渡され、本明細書における引用によって明示で組み込まれ、２０１４年１２月１９日に出願された米国仮特許出願一連番号第６２／０９４，９３３号の利益を主張する、２０１５年１２月１７日に出願された米国特許出願第１４／９７２，７７９号に対する優先権を主張する。
【背景技術】
【０００３】
[0003]ワイヤレス通信ネットワークは、音声、映像、パケットデータ、メッセージング、ブロードキャスト、等のような様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例は、符号分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一キャリアＦＤＭＡ（ＳＣ−ＦＤＭＡ）ネットワークと、を含む。
【０００４】
[0004]ワイヤレス通信システムに関する増大し続ける帯域幅要求という課題に対処するために、複数のユーザ端末が高いデータスループットを達成する一方でチャネルリソースを共有することによって単一のアクセスポイントと通信することを可能にするための異なる方式が開発されてきている。多入力多出力（ＭＩＭＯ）技術は、通信システムに関する人気のある技法として台頭している１つのそのようなアプローチを表す。ＭＩＭＯ技術は、米国電気電子学会（ＩＥＥＥ）８０２．１１規格のような幾つかのワイヤレス通信規格において採用されている。短距離通信（例えば、数十メートル乃至数百メートル）に関するＩＥＥＥ８０２．１１委員会によって策定されたワイヤレスローカルエリアネットワーク（ＷＬＡＮ）エアインタフェース規格の組を表す。
【発明の概要】
【０００５】
[0005]本開示のシステム、方法、およびデバイスは、各々、幾つかの態様を有し、それらのうちのいずれの１つも、それの望ましい属性を単独で担うわけではない。今度は、後続する請求項によって表される本開示の範囲を限定することなしに、幾つかの特徴が簡単に説明される。この説明を検討した後、そして特に「発明を実施するための形態」と題する節を読んだ後は、本開示の特徴がワイヤレスネットワークにおける改良された通信を含む利点をどのようにして提供するかを理解するであろう。
【０００６】
[0006]本開示の態様は、概して、物理（ＰＨＹ）層およびメディアアクセス制御（ＭＡＣ）層シグナリングを使用する即時応答リソース割り振りに関する。
【０００７】
[0007]本開示の幾つかの態様は、ワイヤレス通信のための装置を提供する。装置は、概して、ＰＨＹヘッダとＭＡＣペイロードとを有する第１のフレームを得るように構成された第１のインタフェースと、第１のフレームのＰＨＹヘッダにおいて提供された指示に基づいて、第１のフレームへの応答フレームがある期間内に送信されるべきであると決定するように構成された処理システムと、を含む。
【０００８】
[0008]本開示の幾つかの態様は、ワイヤレス通信のための別の装置を提供する。装置は、概して、ＰＨＹヘッダとＭＡＣペイロードとを有するフレームを生成するようにおよび第１のフレームへの応答フレームがある期間内に送信されるべきである旨の指示を第１のフレームのＰＨＹヘッダにおいて提供するように構成された処理システムと、送信のために第１のフレームを出力するように構成された第１のインタフェースと、を含む。
【０００９】
[0009]本開示の幾つかの態様は、ワイヤレス通信のための方法を提供する。方法は、概して、ＰＨＹヘッダとＭＡＣペイロードとを有する第１のフレームを得ることと、第１のフレームのＰＨＹヘッダにおいて提供された指示に基づいて、第１のフレームへの応答フレームがある期間内に送信されるべきであると決定することと、を含む。
【００１０】
[0010]本開示の幾つかの態様は、ワイヤレス通信のための別の方法を提供する。方法は、概して、ＰＨＹヘッダとＭＡＣペイロードとを有する第１のフレームを生成することと、第１のフレームへの応答フレームがある期間内に送信されるべきである旨の指示を第１のフレームのＰＨＹヘッダにおいて提供することと、送信のために第１のフレームを出力することと、を含む。
【００１１】
[0011]本開示の幾つかの態様は、ワイヤレス通信のための別の装置を提供する。装置は、概して、ＰＨＹヘッダとＭＡＣペイロードとを有する第１のフレームを得るための手段と、第１のフレームのＰＨＹヘッダにおいて提供された指示に基づいて、第１のフレームへの応答フレームがある期間内に送信されるべきであると決定するための手段と、を含む。
【００１２】
[0012]本開示の幾つかの態様は、ワイヤレス通信のための別の装置を提供する。装置は、概して、ＰＨＹヘッダとＭＡＣペイロードとを有する第１のフレームを生成するための手段と、第１のフレームへの応答フレームがある期間内に送信されるべきである旨の指示を第１のフレームのＰＨＹヘッダにおいて提供するための手段と、送信のために第１のフレームを出力するための手段と、を含む。
【００１３】
[0013]本開示の幾つかの態様は、コンピュータプログラム製品を提供する。コンピュータプログラム製品は、概して、ＰＨＹヘッダとＭＡＣペイロードとを有する第１のフレームを得るためにおよび、第１のフレームのＰＨＹヘッダにおいて提供された指示に基づいて、第１のフレームへの応答フレームがある期間内に送信されるべきであると決定するために格納された命令を有するコンピュータ可読媒体を含む。
【００１４】
[0014]本開示の幾つかの態様は、別のコンピュータプログラム製品を提供する。コンピュータプログラム製品は、概して、ＰＨＹヘッダとＭＡＣペイロードとを有する第１のフレームを生成し、第１のフレームへの応答フレームがある期間内に送信されるべきである旨の指示を第１のフレームのＰＨＹヘッダにおいて提供し、および送信のために第１のフレームを出力するために格納された命令を有するコンピュータ可読媒体を含む。
【００１５】
[0015]本開示の幾つかの態様は、局を提供する。局は、概して、少なくとも１本のアンテナと、少なくとも１本のアンテナを介して、ＰＨＹヘッダとＭＡＣペイロードとを有する第１のフレームを受信するように構成された受信機と、第１のフレームのＰＨＹヘッダにおいて提供された指示に基づいて、第１のフレームへの応答フレームがある期間内に送信されるべきであると決定するように構成された処理システムと、を含む。
【００１６】
[0016]本開示の幾つかの態様は、別の局を提供する。局は、概して、少なくとも１本のアンテナと、ＰＨＹヘッダとＭＡＣペイロードとを有する第１のフレームを生成するようにおよび、第１のフレームへの応答フレームがある期間内に送信されるべきである旨の指示を第１のフレームのＰＨＹヘッダにおいて提供するように構成された処理システムと、少なくとも１本のアンテナを介して第１のフレームを送信するように構成された送信機と、を含む。
【００１７】
[0017]上記のおよび関連する目的の完遂を目的として、１つまたは複数の態様は、以下において十分に説明されおよび請求項において特に強調される特徴を備える。以下の説明および添付される図面は、１つまたは複数の態様の幾つかの例示的な特徴を詳細に説明する。しかしながら、これらの特徴は、様々な態様の原理が使用され得る様々な方法のうちのほんのわずかを示すにすぎず、この説明は、すべてのそのような態様およびそれらの同等物を含むことが意図される。
【図面の簡単な説明】
【００１８】
【図１】[0018]  図１は、本開示の幾つかの態様による、ワイヤレス通信ネットワーク例を示す。
【図２】[0019]  図２は、本開示の幾つかの態様による、アクセスポイント（ＡＰ）例およびユーザ端末例のブロック図である。
【図３】[0020]  図３は、本開示の幾つかの態様による、無線デバイス例のブロック図である。
【図４】[0021]  図４は、アップリンク（ＵＬ）ダウンリンク（ＤＬ）フレームやり取り例を示す。
【図５】[0022]  図５は、本開示の幾つかの態様による、ＵＬ／ＤＬフレームやり取りを示したコールフロー例である。
【図６】[0023]  図６は、本開示の幾つかの態様による、ワイヤレス通信に関する動作例のフロー図である。
【図６Ａ】[0024]  図６Ａは、図６において示される動作を実行することが可能な手段例を示す。
【図７】[0025]  図７は、本開示の幾つかの態様による、物理層（ＰＨＹ）ヘッダのフィールド例を示す。
【図８】[0026]  図８は、本開示の幾つかの態様による、ワイヤレス通信に関する動作例のフロー図である。
【図８Ａ】[0027]  図８Ａは、図８において示される動作を実行することが可能な手段例を示す。
【図９】[0028]  図９は、本開示の幾つかの態様による、ＵＬ／ＤＬ単一ユーザ（ＳＵ）フレームやり取り例を示す。
【図１０】[0029]  図１０は、本開示の幾つかの態様による、ＵＬ／ＤＬ複数ユーザ（ＭＵ）フレームやり取り例を示す。
【図１１】[0030]  図１１は、本開示の幾つかの態様による、ＵＬ／ＤＬ  ＭＵフレームやり取り例を示す。
【００１９】
[0031]理解を容易にするために、図に共通する同一の要素を表すために可能な場合は同一の参照数字が使用されている。１つの実施形態において開示される要素は、特定の詳述なしに他の実施形態において有益に利用され得ることが企図される。
【発明を実施するための形態】
【００２０】
[0032]本開示の様々な態様が以下において添付された図面に関連してより詳細に説明される。しかしながら、本開示は、数多くの異なる形態で具現化され得、本開示全体を通じて提示される任意の特定の構造または機能に限定されるとは解釈されるべきでない。むしろ、これらの態様は、本開示が徹底的および完全であり、さらに、本開示の適用範囲を当業者に十分に伝達するようにするために提供される。本明細書における教示に基づき、当業者は、本開示のいずれかの他の態様から独立して実装されるかまたは結合されて実装されるかにかかわらず、本開示の適用範囲が本明細書において開示される本開示のあらゆる態様を網羅することが意図されるということを認識すべきである。例えば、本明細書において説明される態様の任意の数を使用して装置が実装され得、または方法が実行され得る。さらに、本開示の適用範囲は、そのような装置または本明細書において開示される本開示の様々な態様に加えてのまたは様々な態様以外の他の構造、機能、または構造と機能を使用して実行される方法を網羅することが意図される。本明細書において開示される本開示のいずれの態様も請求項の１つまたは複数の要素によって具現化され得ることが理解されるべきである。
【００２１】
[0033]本開示の態様は、概して、物理（ＰＨＹ）層およびメディアアクセス制御（ＭＡＣ）層シグナリングを使用する即時応答リソース割り振りに関する。本明細書においてより詳細に説明されるように、フレームのＭＡＣペイロードを復号する前の幾つかの事例において、ＰＨＹヘッダを復号する（受信）局がフレームに対する即時応答を生成および送信することを開始することを可能にするために幾つかのＭＡＣ情報がフレームのＰＨＹヘッダに含められ得る。デバイスが（例えば、所定のフレーム間期間後に）このような方法で直ちに応答することを可能にすることは、短縮されたレイテンシーおよび全体的システム性能の対応する増大をもたらし得る。
【００２２】
[0034]用語「例示的な」は、「例、実例、または例示として働くこと」を意味するために本明細書において使用される。本明細書において「例示的な」として説明されるいずれの態様も、必ずしも他の態様よりも好ましいまたは有利であると解釈されるべきでない。
【００２３】
[0035]本明細書では特定の態様が説明されるが、これらの態様の数多くの変形および置換は本開示の適用範囲内に入る。好ましい態様の幾つかの利益および利点が述べられるが、本開示の適用範囲は、特定の利益、用途、または目標に限定されることは意図されない。むしろ、本開示の態様は、異なる無線技術、システム構成、ネットワーク、および送信プロトコルに広く適用可能であることが意図され、それらのうちの幾つかは、図内においておよび好ましい態様に関する以下の説明において例を用いて示される。詳細な説明および図面は、本開示を限定するのではなく単に例示するものであり、本開示の適用範囲は、添付された請求項およびそれらの同等物によって定められる。
【００２４】
[0036]本明細書において説明される技法は、直交多重化方式に基づく通信システムを含む様々なブロードバンドワイヤレス通信システムに関して使用され得る。そのような通信システムの例は、空間分割多元接続（ＳＤＭＡ）システムと、時分割多元接続（ＴＤＭＡ）システムと、直交周波数分割多元接続（ＯＦＤＭＡ）システムと、単一キャリア周波数分割多元接続（ＳＣ−ＦＤＭＡ）システムと、を含む。ＳＤＭＡシステムは、複数のユーザ端末に属するデータを同時に送信する上で十分に異なる方向を利用し得る。ＴＤＭＡシステムは、複数のユーザ端末が送信信号を異なるタイムスロットに分割することによって同じ周波数チャネルを共有することを可能にし得、各タイムスロットは、異なるユーザ端末に割り当てられる。ＯＦＤＭＡシステムは、全体的システム帯域幅を複数の直交サブキャリアに分割する変調技法である直交周波数分割多重（ＯＦＤＭ）を利用する。これらのサブキャリアはまた、トーン、ビン、等と呼ばれ得る。ＯＦＤＭの場合は、各サブキャリアは、データとともに独立して変調され得る。ＳＣ−ＦＤＭＡシステムは、システム帯域幅にわたって分布されたサブキャリア上で送信するためにインターリーブされたＦＤＭＡ（ＩＦＤＭＡ）、隣接するサブキャリアのブロック上で送信するために局在化されたＦＤＭＡ（ＬＦＤＭＡ）、または、隣接するサブキャリアの複数のブロック上で送信するために拡張されたＦＤＭＡ（ＥＦＤＭＡ）を、利用し得る。概して、変調シンボルは、ＯＦＤＭの場合は周波数領域でおよびＳＣ−ＦＤＭＡの場合は時間領域で送信される。
【００２５】
[0037]本明細書における教示は、様々な有線または無線の装置（例えば、ノード）内に組み込まれ得る（例えば、様々な有線または無線の装置（例えば、ノード）内に実装され得またはそれらによって実行され得る）。幾つかの態様において、本明細書における教示により実装された無線ノードは、アクセスポイントまたはアクセス端末を備え得る。
【００２６】
[0038]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」、無線ルータ、無線トランシーバ、基本サービスセット（「ＢＳＳ」）、拡張サービスセット（「ＥＳＳ」）、無線基地局（「ＲＢＳ」）、または何らかの他の用語を備え得、それらとして実装され得、またはそれらとして知られ得る。
【００２７】
[0039]アクセス端末（「ＡＴ」）は、加入者局、加入者ユニット、移動局（ＭＳ）、遠隔局、遠隔端末、ユーザ端末（ＵＴ）、ユーザエージェント、ユーザデバイス、ユーザ装置（ＵＥ）、ユーザ局、または何らかの他の用語を備え、それらとして実装され得、またはそれらとして知られ得る。幾つかの実装において、アクセス端末は、携帯電話、コードレス電話、セッション開始プロトコル（「ＳＩＰ」）電話、ワイヤレスローカルループ（「ＷＬＬ」）局、携帯情報端末（「ＰＤＡ」）、無線接続能力を有するハンドヘルドデバイス、局（「ＳＴＡ」）、または、無線モデムに接続された何らかの他の適切な処理デバイスを備え得る。従って、本明細書において教示される１つまたは複数の態様は、電話（例えば、携帯電話またはスマートフォン）、コンピュータ（例えば、ラップトップ）、タブレット、ポータブル通信デバイス、ポータブルコンピューティングデバイス（例えば、携帯情報端末）、娯楽デバイス（例えば、音楽またはビデオデバイス、または衛星ラジオ）、全地球測位システム（ＧＰＳ）デバイス、または、無線または有線媒体を介して通信するように構成される任意の他の適切なデバイス内に組み込み得る。幾つかの態様において、ＡＴは、無線ノードであり得る。そのような無線ノードは、例えば、有線または無線通信リンクを介してネットワーク（例えば、インターネットのようなワイドエリアネットワークまたはセルラーネットワーク）のためのまたはそれへの接続性を提供し得る。
ワイヤレス通信システム例
[0040]図１は、本開示の態様が実行され得るシステム１００を示す。例えば、アクセスポイント１１０は、即時応答が送信されるべきである旨の指示を含む要求フレームの物理層（ＰＨＹ）ヘッダ内に指示を有する要求フレーム（例えば、物理層コンバージェンスプロトコル（ＰＬＣＰ）プロトコルデータユニット（ＰＰＤＵ））をユーザ端末１２０に送信し得る。受信側のユーザ端末１２０は、指示に基づいて、応答が送信されるべきであると決定し得、および、例えば、要求フレームのメディアアクセス制御（ＭＡＣ）ペイロードを復号する前に即時応答の少なくとも一部分を生成および送信することを開始し得る。応答は、例えば、要求フレームの受信後の所定の時間（例えば、ＳＩＦＳ期間）後に送信されるべきである場合に即時応答として考慮され得る。
【００２８】
[0041]システム１００は、例えば、アクセスポイントとユーザ端末とを有する多元接続多入力多出力（ＭＩＭＯ）システム１００であり得る。単純化のために、図１には１つのアクセスポイント１１０のみが示される。アクセスポイントは、概して、ユーザ端末と通信する固定局であり、基地局または何らかの他の用語とも呼ばれ得る。ユーザ端末は、固定式または移動式であり得、移動局、無線デバイス、または何らかの他の用語とも呼ばれ得る。アクセスポイント１１０は、ダウンリンクおよびアップリンク上で任意の所定の時点で１つまたは複数のユーザ端末１２０と通信し得る。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピア・ツー・ピア方式で通信し得る。
【００２９】
[0042]システムコントローラ１３０は、これらのＡＰおよび／または他のシステムに関する協同および制御を提供し得る。ＡＰは、例えば、無線周波数電力、チャネル、認証、およびセキュリティの調整を処理し得るシステムコントローラ１３０によって管理され得る。システムコントローラ１３０は、バックホールを介してＡＰと通信し得る。ＡＰはまた、例えば、直接または無線または有線バックホールを介して間接的に互いと通信し得る。
【００３０】
[0043]次の開示の一部分は、空間分割多元接続（ＳＤＭＡ）を介して通信することが可能なユーザ端末１２０について説明する一方で、幾つかの態様に関しては、ユーザ端末１２０はまた、ＳＤＭＡをサポートしない幾つかのユーザ端末を含み得る。従って、そのような態様に関して、ＡＰ１１０は、ＳＤＭＡおよび非ＳＤＭＡの両方のユーザ端末と通信するように構成され得る。このアプローチは、都合良く、ユーザ端末のより古いバージョン（「レガシー」局）が引き続き企業内に配備されることを可能にし得、それらの有効寿命を延長し、その一方でより新しいＳＤＭＡユーザ端末が適宜導入されることを可能にする。
【００３１】
[0044]システム１００は、ダウンリンクおよびアップリンク上でのデータ送信のために複数の送信アンテナおよび複数の受信アンテナを使用する。アクセスポイント１１０は、Ｎａｐ本のアンテナが装備され、ダウンリンク送信に関しては多入力（ＭＩ）、アップリンク送信に関しては多出力（ＭＯ）を表す。Ｋ個の選択されたユーザ端末１２０の組は、全体で、ダウンリンク送信に関する多出力、アップリンク送信に関する多入力を表す。純粋なＳＤＭＡの場合は、Ｋ個のユーザ端末に関するデータシンボルストリームが何らかの手段によってコード、周波数または時間の点で多重化されない場合はＮａｐ≧Ｋ≧１を有することが望まれる。Ｋは、データシンボルストリームが、ＴＤＭＡ技法、ＣＤＭＡの場合は異なるコードチャネル、ＯＦＤＭＡの場合はサブバンドの互いに素の組、等を使用して多重化されることができる場合はＮａｐよりも大きいことができる。各々の選択されたユーザ端末は、ユーザ固有のデータをアクセスポイントに送信するおよび／またはユーザ固有のデータをアクセスポイントから受信する。概して、各々の選択されたユーザ端末は、１本または複数本のアンテナ（すなわち、Ｎｕｔ≧１）が装備され得る。Ｋ個の選択されたユーザ端末は、同じまたは異なる本数のアンテナを有することができる。
【００３２】
[0045]システム１００は、時分割複信（ＴＤＤ）システムまたは周波数分割複信（ＦＤＤ）システムであり得る。ＴＤＤシステムに関して、ダウンリンクおよびアップリンクは、同じ周波数帯域を共有する。ＦＤＤシステムに関して、ダウンリンクおよびアップリンクは、異なる周波数帯域を使用する。ＭＩＭＯシステム１００はまた、送信のために単一のキャリアまたは複数のキャリアを利用し得る。各ユーザ端末は、（例えば、コストを抑えるために）１本のアンテナがまたは（例えば、追加コストが支持されることができる場合は）複数本のアンテナが装備され得る。システム１００はまた、ユーザ端末１２０が送信／受信を異なるタイムスロットに分割することによって同じ周波数チャネルを共有する場合はＴＤＭＡシステムであり得、各タイムスロットは、異なるユーザ端末１２０に割り当てられる。
【００３３】
[0046]図２は、図１において示されるＡＰ１１０およびＵＴ１２０のコンポーネント例を示し、それらは、本開示の態様を実装するために使用され得る。ＡＰ１１０およびＵＴ１２０の１つまたは複数のコンポーネントは、本開示の態様を実行するために使用され得る。例えば、アンテナ２２４、Ｔｘ／Ｒｘ２２２、プロセッサ２１０、２２０、２４０、２４２、および／またはコントローラ２３０は、本明細書において説明されて図６および図６Ａに関連して示される動作を実行するために使用され得る。同様に、アンテナ２５２、Ｔｘ／Ｒｘ２５４、プロセッサ２６０、２７０、２８８、および２９０、および／またはコントローラ２８０は、本明細書において説明されて図７および図７Ａに関連して示される動作を実行するために使用され得る。
【００３４】
[0047]図２は、ＭＩＭＯシステム１００内のアクセスポイント１１０および２個のユーザ端末１２０ｍおよび１２０ｘのブロック図を示す。アクセスポイント１１０は、Ｎｔ本のアンテナ２２４ａ乃至２２４ａｐが装備される。ユーザ端末１２０ｍは、Ｎｕｔ、ｍ本のアンテナ２５２ｍａ乃至２５２ｍｕが装備され、ユーザ端末１２０ｘは、Ｎｕｔ、ｘ本のアンテナ２５２ｘａ乃至２５２ｘｕが装備される。アクセスポイント１１０は、ダウンリンクに関しては送信エンティティ、アップリンクに関しては受信エンティティである。各ユーザ端末１２０は、アップリンクに関しては送信エンティティ、ダウンリンクに関しては受信エンティティである。本明細書において使用される場合、「送信エンティティ」は、無線チャネルを介してデータを送信することが可能な独立して動作される装置またはデバイスであり、「受信エンティティ」は、無線チャネルを介してデータを受信することが可能な独立して動作される装置またはデバイスである。次の説明では、添字「ｄｎ」は、ダウンリンクを表し、添字「ｕｐ」は、アップリンクを表し、アップリンク上での同時送信のためにＮｕｐ個のユーザ端末が選択され、ダウンリンク上での同時送信のためにＮｄｎ個のユーザ端末が選択され、Ｎｕｐは、Ｎｄｎと等しいことまたは等しくないことがあり得、ＮｕｐおよびＮｄｎは、静的な値であり得、または各スケジューリング間隔に関して変化することができる。アクセスポイントおよびユーザ端末ではビームステアリングまたは何らかの他の空間処理技法が使用され得る。
【００３５】
[0048]アップリンク上で、アップリンク送信のために選択された各ユーザ端末１２０において、送信（ＴＸ）データプロセッサ２８８は、データソース２８６からトラフィックデータをおよびコントローラ２８０から制御データを受信する。コントローラ２８０は、メモリ２８２と結合され得る。ＴＸデータプロセッサ２８８は、ユーザ端末に関して選択されたレートに関連するコーディングおよび変調方式に基づいてユーザ端末に関するトラフィックデータを処理（例えば、符号化、インターリーブ、および変調）する。ＴＸ空間プロセッサ２９０は、データシンボルストリームに関する空間処理を実行し、Ｎｕｔ，ｍ本のアンテナのためにＮｕｔ，ｍ個の送信シンボルストリームを提供する。各送信機ユニット（ＴＭＴＲ）２５４は、アップリンク信号を生成するために各々の送信シンボルストリームを受信および処理（例えば、アナログに変換、増幅、フィルタリング、および周波数アップコンバート）する。Ｎｕｔ，ｍ個の送信機ユニット２５４は、Ｎｕｔ，ｍ本のアンテナ２５２からアクセスポイントへの送信のためにＮｕｔ，ｍ個のアップリンク信号を提供する。
【００３６】
[0049]Ｎｕｐ個のユーザ端末は、アップリンク上での同時送信のためにスケジューリングされ得る。これらのユーザ端末の各々は、それのデータシンボルストリームに関して空間処理を実行し、アクセスポイントにアップリンク上で送信シンボルストリームのそれの組を送信する。
【００３７】
[0050]アクセスポイント１００において、Ｎａｐ本のアンテナ２２４ａ乃至２２４ａｐは、アップリンク上で送信中のすべてのＮｕｐ個のユーザ端末からアップリンク信号を受信する。各アンテナ２２４は、各々の受信機ユニット（ＲＣＶＲ）２２２に受信された信号を提供する。各受信機ユニット２２２は、送信機ユニット２５４によって実行される処理を補完するそれを実行し、受信されたシンボルストリームを提供する。ＲＸ空間プロセッサ２４０は、Ｎａｐ個の受信機ユニット２２２からのＮａｐ個の受信されたシンボルストリームに関して受信機空間処理を実行し、Ｎｕｐ個の復元されたアップリンクデータシンボルストリームを提供する。受信機空間処理は、チャネル相関行列転換（ＣＣＭＩ）、最小平均二乗誤差（ＭＭＳＥ）、ソフト干渉キャンセレーション（ＳＩＣ）、または何らかの他の技法により実行される。各々の復元されたアップリンクデータシンボルストリームは、各々のユーザ端末によって送信されたデータシンボルストリームの推定値である。ＲＸデータプロセッサ２４２は、復号されたデータを得るために各々の復元されたアップリンクデータシンボルストリームに関して使用されたレートによりそのストリームを処理（例えば、復調、デインターリーブ、および復号）する。各ユーザ端末に関する復号されたデータは、格納のためにデータシンク２４４におよび／またはさらなる処理のためにコントローラ２３０に提供され得る。コントローラ２３０は、メモリ２３２と結合され得る。
【００３８】
[0051]ダウンリンク上で、アクセスポイント１１０において、ＴＸデータプロセッサ２１０は、ダウンリンク送信のためにスケジューリングされたＮｄｎ個のユーザ端末に関するデータソース２０８からトラフィックデータ、コントローラ２３０から制御データ、および可能な場合はスケジューラ２３４から他のデータ、を受信する。様々なタイプのデータが異なるトランスポートチャネル上で送信され得る。ＴＸデータプロセッサ２１０は、各ユーザ端末に関して選択されたレートに基づいてそのユーザ端末に関するトラフィックデータを処理（例えば、符号化、インターリーブ、および変調）する。ＴＸデータプロセッサ２１０は、Ｎｄｎ個のユーザ端末に関するＮｄｎ個のダウンリンクデータシンボルストリームを提供する。ＴＸ空間プロセッサ２２０は、Ｎｄｎ個のダウンリンクデータシンボルストリームに関して（本開示において説明されるように、プリコーディングまたはビームフォーミングのような）空間処理を実行し、Ｎａｐ本のアンテナに関するＮａｐ個の送信シンボルストリームを提供する。各送信機ユニット２２２は、ダウンリンク信号を生成するために各々の送信シンボルストリームを受信および処理する。Ｎａｐ個の送信機ユニット２２２は、Ｎａｐ本のアンテナ２２４からユーザ端末への送信のためにＮａｐ個のダウンリンク信号を提供する。各ユーザ端末に関する復号されたデータは、格納のためにデータシンク２７２におよび／またはさらなる処理のためにコントローラ２８０に提供され得る。
【００３９】
[0052]各ユーザ端末１２０において、Ｎｕｔ，ｍ本のアンテナ２５２は、アクセスポイント１１０からＮａｐ個のダウンリンク信号を受信する。各受信機ユニット２５４は、関連されたアンテナ２５２からの受信された信号を処理し、受信されたシンボルストリームを提供する。ＲＸ空間プロセッサ２６０は、Ｎｕｔ，ｍ個の受信機ユニット２５４からのＮｕｔ，ｍ個の受信されたシンボルストリームに関して空間処理を実行し、ユーザ端末に関する復元されたダウンリンクデータシンボルストリームを提供する。受信機空間処理は、ＣＣＭＩ、ＭＭＳＥまたは何らかの他の技法により実行される。ＲＸデータプロセッサ２７０は、ユーザ端末に関する復号されたデータを得るために復元されたダウンリンクデータシンボルストリームを処理（例えば、復調、デインターリーブおよび復号）する。
【００４０】
[0053]各ユーザ端末１２０において、チャネル推定器２７８は、ダウンリンクチャネル応答を推定し、ダウンリンクチャネル推定値を提供し、それらは、チャネル利得推定値、ＳＮＲ推定値、雑音分散、等を含み得る。同様に、アクセスポイント１１０において、チャネル推定器２２８は、アップリンクチャネル応答を推定し、アップリンクチャネル推定値を提供する。各ユーザ端末に関するコントローラ２８０は、典型的には、ユーザ端末に関するダウンリンクチャネル応答行列Ｈｄｎ，ｍに基づいてそのユーザ端末に関する空間フィルタ行列を導き出す。コントローラ２３０は、有効アップリンクチャネル応答行列Ｈｕｐ，ｅｆｆに基づいてアクセスポイントに関する空間フィルタ行列を導き出す。各ユーザ端末に関するコントローラ２８０は、アクセスポイントにフィードバック情報（例えば、ダウンリンクおよび／またはアップリンク固有ベクトル、固有値、ＳＮＲ推定値、等）を送信し得る。コントローラ２３０および２８０はまた、アクセスポイント１１０およびユーザ端末１２０においてそれぞれ様々な処理ユニットの動作を制御する。
【００４１】
[0054]図３は、ＭＩＭＯシステム１００内で使用され得る無線デバイス３０２において利用され得る。無線デバイス３０２は、本明細書において説明される様々な方法を実装するように構成され得るデバイスの例である。例えば、無線デバイスは、図１０および図１１において示される動作１０００および１１００をそれぞれ実装し得る。無線デバイス３０２は、アクセスポイント１１０またはユーザ端末１２０であり得る。
【００４２】
[0055]無線デバイス３０２は、無線デバイス３０２の動作を制御するプロセッサ３０４を含み得る。プロセッサ３０４はまた、中央処理装置（ＣＰＵ）と呼ばれ得る。読み取り専用メモリ（ＲＯＭ）とランダムアクセスメモリ（ＲＡＭ）との両方を含み得るメモリ３０６は、プロセッサ３０４に命令およびデータを提供する。メモリ３０６の一部分はまた、非揮発性ランダムアクセスメモリ（ＮＶＲＡＭ）を含み得る。プロセッサ３０４は、典型的には、メモリ３０６内に格納されたプログラム命令に基づいて論理および算術演算を実行する。メモリ３０６内の命令は、本明細書において説明される方法を実装するために実行可能であり得る。
【００４３】
[0056]無線デバイス３０２はまた、無線デバイス３０２と遠隔ノードとの間でのデータの送信および受信を可能にするために送信機３１０と受信機３１２とを含み得るハウジング３０８を含み得る。送信機３１０および受信機３１２は、トランシーバ３１４として結合され得る。単一のまたは複数の送信アンテナ３１６がハウジング３０８に取り付けられおよびトランシーバ３１４に電気的に結合され得る。無線デバイス３０２はまた、複数の送信機と、複数の受信機と、複数のトランシーバと、を含み得る（示されていない）。
【００４４】
[0057]無線デバイス３０２はまた、トランシーバ３１４によって受信された信号のレベルを検出および定量化するために使用され得る信号検出器３１８を含み得る。信号検出器３１８は、総エネルギー、１個のシンボル当たりの１つのサブキャリア当たりのエネルギー、電力スペクトル密度および他の信号のような信号を検出し得る。無線デバイス３０２はまた、信号を処理する際の使用のためのデジタル信号プロセッサ（ＤＳＰ）３２０を含み得る。
【００４５】
[0058]無線デバイス３０２の様々なコンポーネントがバスシステム３２２によってまとめて結合され得、それは、データバスに加えて、電力バスと、制御信号バスと、状態信号バスと、を含み得る。
ミックスされたＰＨＹおよびＭＡＣシグナリングを使用する即時応答リソース割り振り
[0059]（高効率無線（ＨＥＷ）または高効率ワイヤレスローカルエリアネットワーク（ＷＬＡＮ）としても知られる）ＩＥＥＥ８０２．１１ａｘのような幾つかのシステムでは、物理（ＰＨＹ）層およびメディアアクセス制御（ＭＡＣ）層シグナリングが（例えば、要求および応答に関する）即時応答のために使用され得る。上記のように、即時応答は、ある定義された期間内に（例えば、短いフレーム間スペース（ＳＩＦＳ）の後に）要求フレームに応答して送信される応答フレームを意味し得る。
【００４６】
[0060]幾つかのＭＡＣフレームは、即時応答を要請し得る。例えば、データフレームは、（例えば、単一のデータペイロードまたは複数のデータペイロードの受信に関して肯定応答する）肯定応答（ＡＣＫ）を即時応答として要請し得る。別の例として、送信要求フレーム（ＲＴＳ）フレームは、即時応答として送信クリア（ＣＴＳ）フレームを要請し得る。即時ＣＴＳ応答は、要求するデバイスがデータ送信のためにより速く媒体にアクセスすることに結びつき得る。
【００４７】
[0061]幾つかのＭＡＣフレームは、２個以上のデバイスに即時応答を要請し得る。そのような場合は、複数の応答体（responder）は、送信のためにアップリンク（ＵＬ）複数ユーザ（ＭＵ）多入力多出力（ＭＩＭＯ）またはＵＬ直交周波数分割多元接続（ＯＦＤＭＡ）技法を使用することができる。以下においてより詳細に説明されるように、要求物理層プロトコルデータユニット（ＰＰＤＵ）は、応答体の各々に関する送信パラメータを特定および提供し得る。
【００４８】
[0062]図４は、要求および即時応答を示したアップリンク（ＵＬ）／ダウンリンク（ＤＬ）フレームやり取り例４００を示す。図４において示されるように、要求フレーム（例えば、物理層プロトコルデータユニット（ＰＰＤＵ））は、ＰＨＹヘッダ４０２と１つまたは複数のＭＡＣペイロード４０４（例えば、ＭＡＣプロトコルデータユニット（ＭＰＤＵ））とを有し得る。要求フレームは、即時応答を要請し得る。１つまたは複数のＭＰＤＵを有するＰＨＹヘッダとＭＡＣペイロードとを有する応答フレームは、ＳＩＦＳ期間４０６後に要求フレームに応答して送信され得る。
【００４９】
[0063]従来のやり取りにおいて、要求フレームを受信するデバイス（例えば、ＳＴＡ）は、例えば、ＭＡＣペイロードを復号して要求フレームのタイプを検出した後のみに応答するように要請されていることを知り得る。さらに、（例えば、概して、タイプ、帯域幅、ＭＣＳ、コーディング、サイクリックプリフィックスを意味する）ＰＨＹモード、および、応答の速度が、要求フレームのＰＨＹモードおよび要求のＭＡＣタイプに基づいて従来のように決定され得る。従って、デバイスは、ある場合は即時応答のために定義された期間内に応答することを困難にし得る応答フレームを生成または送信するための要求フレーム全体を復号することが必要になることがある。
【００５０】
[0064]従って、本明細書において提供される技法および装置は、デバイスが、要求フレームを復号するまで待機する必要なしに、より速く即時応答を生成または送信することを開始することを可能にし得る。
【００５１】
[0065]本開示の幾つかの態様により、例えば、即時応答が要請される旨の早期の（例えば、要求フレーム全体を復号することよりも速い）指示を受信機に提供することによってＰＨＹおよびＭＡＣシグナリングを分離するための技法および装置が提供される。そのような指示はまた、応答を送信するために使用すべきパラメータをシグナリングし得る。
【００５２】
[0066]幾つかの態様により、要求フレーム内の（例えば、ＰＨＹヘッダ内の）ＰＨＹシグナリングは、応答体（または複数の応答体）のアイデンティティを定義し、１つまたは複数の応答体からの即時応答のためのＰＨＹリソースを割り振り得、および、応答体が応答ＰＰＤＵの少なくとも一部を形成するために使用すべきパラメータも示し得る。幾つかの場合、即時応答ＰＨＹリソース（ＰＰＤＵ）は、要求のＭＡＣペイロードからのＭＡＣシグナリングに依存するＭＡＣペイロードを搬送し得る。
【００５３】
[0067]図５は、本開示の幾つかの態様による、（要求体（Requester）５１０としてのラベルが付された）要求側デバイスと（応答体（Responder）５２０としてのラベルが付された）応答側デバイスとの間でのアップリンク（ＵＬ）ダウンリンク（ＤＬ）フレームやり取りを示したコールフロー例である。示されるように、５０２において、要求体（例えば、ＡＰ）は、応答体に送信された要請（要求）フレームのＰＨＹヘッダ内に即時応答指示を含め得る。５０４において、応答体は、指示を得て即時応答が要求されると決定するために要請フレームのＰＨＹヘッダを復号し得る。５０６において、応答体は、要請フレーム全体を復号する前に（ＰＨＹおよびＭＡＣヘッダのような）応答ＰＰＤＵの一部分を生成することを開始するために指示を使用し得る。幾つかの場合、応答側デバイスは、要請フレームを完全に復号する前に応答フレームを送信することさえも開始し得る。
【００５４】
[0068]図６は、本開示の幾つかの態様による、要請フレームを生成および送信するための動作例６００のフロー図である。動作６００は、例えば、（例えば、ＡＰ１１０のような）アクセスポイントであり得る要求体によって実行され得る。
【００５５】
[0069]動作６００は、６０２において、ＰＨＹヘッダとＭＡＣペイロード（例えば、ＭＰＤＵまたはＡ−ＭＰＤＵ）とを有する第１のフレーム（例えば、要求ＰＰＤＵ）を生成することによって開始し、第１のフレームへの応答フレーム（例えば、応答フレーム）がある期間（例えば、第１のフレームの最後の後のＳＩＦＳ期間）内に送信されるべきである旨の指示が第１のフレームのＰＨＹヘッダにおいて提供される。６０４において、要求体は、送信のために第１のフレームを出力する。
【００５６】
[0070]幾つかの態様により、要求ＰＰＤＵのＰＨＹヘッダ内の指示は、即時応答体および応答フレームのＰＨＹモードを明示で特定し得る。例えば、指示は、応答体の１つまたは複数のＭＡＣアドレス、要求体のＭＡＣアドレス、関連性識別子（ＡＩＤ）、または、部分的ＭＡＣアドレス、または応答体の組を特定するグループ識別子のような、応答体の各々当たりの何らかの他のタイプの（例えば、ローカル）識別子を示し得る。
【００５７】
[0071]指示はまた、応答フレームが単一ユーザ（ＳＵ）または複数ユーザ（ＭＵ）フレームのいずれとして送信されるべきか、応答フレームに関する帯域幅、応答フレームに関するＭＣＳ、応答フレームに関するガード間隔（ＧＩ）、応答フレームに関する空間ストリームの数、または応答フレームの継続時間のような、応答を送信するための１つまたは複数のパラメータを示し得る。幾つかの場合、（可能な場合に異なる情報を有する）別々の指示が各応答体に関して提供され得る。
【００５８】
[0072]幾つかの態様により、応答パラメータのうちの一部は、要求フレームのＰＨＹパラメータによって暗黙に定義され得る。例えば、応答フレームの帯域幅は、要求フレームと同じ帯域幅であり得る。別の例として、応答フレームがＳＵとして送信されるべきである場合は、応答フレームの継続時間は、ＭＡＣペイロードによって暗黙に決定され得る。
【００５９】
[0073]従って、（例えば、ＭＡＣペイロードを復号しない）ＰＨＹヘッダのみ内の指示は、応答体が応答フレームを生成しさらには送信することさえも開始することを可能にする上で十分であり得る。上記のように、指示は、応答フレームが割り振られるべき先であるデバイスごとに提供され得る。幾つかの態様により、要求フレーム内のＭＡＣペイロードが即時応答を必要とする場合は、第１のフレームのＰＨＹヘッダもまた応答フレームを割り振る。代替として、要求フレーム内のＭＡＣペイロードが即時応答を必要としない場合は、第１のフレームのＰＨＹヘッダは、応答フレームを割り振り得るまたは得ない。要求フレームおよび応答に関するＰＨＹ指示の幾つかのＰＨＹパラメータは、要求フレームのＭＡＣペイロード内の幾つかのＭＡＣ情報により設定され得る。
【００６０】
[0074]図７は、本開示の幾つかの態様による、要求フレーム内に含められ得るＰＨＹヘッダのフィールド例を示す。幾つかの態様により、即時応答に関する指示は、図７において示されるＰＨＹのフィールドのうちの１つに含められ得る。幾つかの場合、指示を含めることは、特定のフィールドがどのようにして送信されるかに依存し得る。例えば、指示は、高効率信号Ａ（ＨＥ−ＳＩＧ−Ａ）フィールドのようなより低いコーディングレートを有するフィールド、または、ＨＥ−ＳＩＧ−Ｂフィールドのようなより高いコーディングレートフィールド内に含められ得る。
【００６１】
[0075]ＨＥ−ＳＩＧ−ＡフィールドおよびＨＥ−ＳＩＧ−Ｂフィールドは、ブロードキャストフィールドであり得、従って、ＭＵの場合は、これらのフィールド（のうちの１つ）は、すべてのアドレッシングされたデバイスに関する指示を含み得る。代替として、指示は、ＨＥ−ＳＩＧ−Ｃフィールドのような、ブロードキャストされないフィールドにおいて提供され得る。ＨＥ−ＳＩＧ−Ｃフィールドは、１つのデバイス当たりのフィールドであり、従って、それの受信側デバイスのみに関する指示を含み得る。
【００６２】
[0076]図８は、本開示の幾つかの態様による、要請フレームを得てＰＨＹヘッダ内の指示に基づいて即時応答を送信することを決定するための動作例８００のフロー図である。動作８００は、例えば、（例えば、ＵＴ１２０のような）局であり得る応答体デバイスによって実行され得る。動作８００は、８０２において、ＰＨＹヘッダとＭＡＣペイロード（例えば、ＭＰＤＵまたはＡ−ＭＰＤＵ）とを有する第１のフレーム（例えば、要求フレーム）を得ることによって開始し得る。
【００６３】
[0077]８０４において、応答体は、第１のフレームのＰＨＹヘッダ内の指示に基づいて、第１のフレームへの応答フレーム（例えば、応答フレーム）が第１のフレームの最後の後のある期間（例えば、ＳＩＦＳ期間）内に送信されるべきであると決定し得る。例えば、応答体は、それの識別子が要求フレーム内で示されることおよびそれが即時応答を送信すべきであることをわかり得る。
【００６４】
[0078]幾つかの態様により、応答フレームは、応答内に含められるべきあらゆるＭＡＣペイロード（例えば、ＭＡＣフレーム）に関するコンテナとして動作し得る。例えば、応答フレーム内のＭＡＣペイロードは、要求フレーム内のＭＡＣペイロードへの即時応答であり得る。代替として、応答フレーム内のＭＡＣペイロードは、所定のフレーム（例えば、ＭＡＣフレーム）であり得、それは、他の前のシグナリングおよび／またはスケジューリングに基づき得、要求フレーム内のＭＡＣペイロードに依存しない。
【００６５】
[0079]幾つかの態様により、応答体が一旦ＰＨＹヘッダを復号し、応答フレームが要請されると決定した時点で、応答体は、応答フレームの少なくとも一部分を生成することを開始し得る。例えば、応答体は、応答フレームのＰＨＹヘッダおよび／またはＭＡＣヘッダを生成することを開始し得（さらに、幾つかの場合は、送信することを開始し得る）。幾つかの態様により、応答体は、要求ＰＰＤＵのＭＡＣペイロードを復号する前に生成することおよび送信することを開始し得る。
【００６６】
[0080]応答体がＭＡＣペイロードを一旦復号した時点で、応答体は、応答フレームのＭＡＣペイロードに関する内容物（content）（例えば、データ、ＡＣＫ、ブロックＡＣＫ（ＢＡ）、ＣＴＳ）を決定し得る。代替として、上記のように、応答フレームの内容物は、例えば、前のシグナリングに基づいて予め決定され得、要求フレームのＭＡＣペイロードにはまったく基づき得ない。
【００６７】
[0081]図９は、本開示の幾つかの態様による、ＵＬ／ＤＬ  ＳＵフレームやり取り例９００を示す。図９において示されるように、要求フレームは、ＰＨＹヘッダ９０２と、即時ブロック肯定応答（ＢＡ）９０８を必要とするデータＭＰＤＵ９０４（または、Ａ−ＭＰＤＵ）と、を含め得る。
【００６８】
[0082]上記のように、ＰＨＹヘッダは、応答体のアイデンティティおよび応答のために使用すべきパラメータを示し得る。応答体は、ＰＨＹヘッダを復号し、ＰＨＹヘッダ内の指示に基づいて応答が要請されることおよびその応答に関するＰＨＹモードを決定し得る。従って、応答体は、応答フレームのＰＨＹヘッダを生成すること（および、送信すること）を開始し得る。応答体が要求フレームのＭＰＤＵ内のデータを一旦復号した時点で、応答体は、ＢＡを生成して応答フレームのＭＡＣペイロード内で送信し得る。
【００６９】
[0083]図１０は、本開示の幾つかの態様による、別のＵＬ／ＤＬ  ＭＵフレームやり取り例１０００を示す。幾つかの態様により、要求ＰＰＤＵは、ＤＬ  ＭＵ多入力多出力（ＭＩＭＯ）またはＤＬ直交周波数分割多元接続（ＯＦＤＭＡ）を使用し得、応答フレームは、ＵＬ  ＯＦＤＭＡまたはＵＬ  ＭＵ  ＭＩＭＩＯを使用し得る。図１０において示されるように、要求フレームは、アドレッシングされたデバイスからの即時ＢＡを各々必要とするＰＨＹヘッダ１００２と、１つのデバイスごとのＭＰＤＵを有するデータアグリゲーテッドＭＰＤＵ（Ａ−ＭＰＤＵ）１００４と、を含め得る。ＰＨＹヘッダ１００２は、応答体デバイスのアイデンティティおよび応答のために使用すべきパラメータを示し得る。
【００７０】
[0084]幾つかの態様により、応答側デバイスは、要求フレームの受信側デバイスと（例えば、アイデンティティおよび数の点で）異なり得る。応答体デバイスは、要求フレームのＰＨＹヘッダ１００２内の指示に基づいて即時応答が要請されることおよび応答に関するＰＨＹモードを決定し得る。従って、応答体デバイスは、応答フレームのＰＨＹヘッダ１００２を生成すること（および、送信すること）を開始し得る。応答体デバイスが要求フレームのＡ−ＭＰＤＵ１００４内のデータを一旦復号した時点で、応答体デバイスは、対応するＢＡ  １００８を生成し、応答フレームのＭＡＣペイロード内でおよび送信し得る。
【００７１】
[0085]図１１において示されるように、要求フレームは、要請されたデバイスのうちの１つからの即時応答を各々要請する１つまたは複数のデバイスに関する１つまたは複数のＭＡＣトリガフレーム１１０４を搬送し得る。即時応答に関する情報は、要求フレームのＰＨＹヘッダ１１０２内で示され得る。この場合、応答体局は、（ＳＵ、ＵＬ  ＭＵ  ＭＩＭＯ／ＯＦＤＭＡ）応答フレームのＰＨＹヘッダ１１０２を生成すること（および、送信すること）を開始し得、および、応答体デバイスがトリガフレーム１１０４内の情報を一旦復号した時点で、応答フレームの対応するＭＡＣペイロード（例えば、データ）１１０８を生成および送信し得る。トリガフレーム１１０４は、データ、管理、制御のようなＭＡＣペイロードのタイプを示し得、または、応答体がいずれかのフレームを送信することを可能にし得る。
【００７２】
[0086]要求フレームのＰＨＹヘッダ内の即時応答に関するシグナリングを含めるために上述される技法を適用することは、応答体に早期の指示を提供し得る。この早期の指示は、応答体が要求フレーム全体を復号する前に即時応答を生成して要求フレームに送信することを開始することを可能にし得る。その結果、応答体は、応答を開始する前に要求フレーム全体を復号するために待機しなければならなかった場合よりも速く即時応答を生成および送信することができる。このように、このアプローチは、応答体が定義された即時応答期間内に即時応答を提供する能力を向上させ得る。
【００７３】
[0087]本明細書において開示される方法は、説明される方法を達成するための１つまたは複数のステップまたはアクションを備える。方法ステップおよび／またはアクションは、請求項の範囲から逸脱することなしに互換され得る。換言すると、ステップまたはアクションの特定の順序が指定されないかぎり、特定のステップおよび／またはアクションの順序および／または使用は、請求項の範囲から逸脱することなしに変更され得る。
【００７４】
[0088]本明細書において使用される場合、項目のリスト「のうちの少なくとも１つ」を意味する句は、単数を含むそれらの項目の任意の組み合わせを意味する。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、さらに、複数の同じ要素の任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を網羅することが意図される。
【００７５】
[0089]本明細書で使用される場合、用語「決定する」は、非常に様々なアクションを包含する。例えば、「決定する」は、計算すること、演算すること、処理すること、導き出すこと、調査すること、検索すること（例えば、テーブル、データベース又は他のデータ構造における検索）、確認すること、および同様のことを含み得る。さらに、「決定する」は、受信すること（例えば、情報を受信する）、アクセスすること（例えば、メモリ内のデータにアクセスする）、および同様のことを含み得る。さらに、「決定する」は、解決すること、選抜すること、選択すること、確立すること、および同様のことを含み得る。
【００７６】
[0090]幾つかの場合は、フレームを実際に送信するのではなく、デバイスは、送信のためにフレームを出力するためのインタフェースを有し得る。例えば、プロセッサは、バスインタフェースを介して、送信のためにＲＦフロントエンドにフレームを出力し得る。同様に、フレームを実際に受信するのではなく、デバイスは、別のデバイスから受信されたフレームを得るためのインタフェースを有し得る。例えば、プロセッサは、バスインタフェースを介して、送信のためにＲＦフロントエンドからフレームを得る（または、受信する）ことができる。
【００７７】
[0091]上述される方法の様々な動作は、対応する機能を実行することが可能な任意の適切な手段によって実行され得る。手段は、回路、特定用途向け集積回路（ＡＳＩＣ）、またはプロセッサを含む様々なハードウェアおよび／またはソフトウェアコンポーネントおよび／またはモジュールを含み、ただし、それらに限定されない。概して、図内において示される動作が存在する場合は、それらの動作は、同様の数字を有する対応する相方の手段プラス機能コンポーネントを有し得る。例えば、図６において示される動作６００および図８において示される動作８００は、図６Ａにおいて示される手段６００Ａおよび図８Ａにおいて示される手段８００Ａにそれぞれ対応する。
【００７８】
[0092]例えば、受信するための手段は、図２において示されるユーザ端末１２０の受信機（例えば、トランシーバ２５４の受信機ユニット）および／またはアンテナ２５２、または、図２において示されるアクセスポイント１１０の受信機（例えば、トランシーバ２２２の受信機ユニット）および／またはアンテナ２２４であり得る。送信するための手段は、図２において示されるユーザ端末１２０の送信機（例えば、トランシーバ２５４の送信機ユニット）および／またはアンテナ２５２、または、図２において示されるアクセスポイント１１０の送信機（例えば、トランシーバ２２２の送信機ユニット）および／またはアンテナ２２４であり得る。
【００７９】
[0093]処理するための手段、生成するための手段、得るための手段、含めるための手段、決定するための手段、および出力するための手段は、図２において示されるユーザ端末１２０のＲＸデータプロセッサ２７０、ＴＸデータプロセッサ２８８、および／またはコントローラ２８０、または、図２において示されるアクセスポイント１１０のＴＸデータプロセッサ２１０、ＲＸデータプロセッサ、および／またはコントローラ２３０のような１つまたは複数のプロセッサを含み得る処理システムを備え得る。
【００８０】
[0094]幾つかの態様により、そのような手段は、ＰＨＹヘッダにおいて即時応答指示を提供するために上述される（例えば、ハードウェア内においてまたはソフトウェア命令を実行することによって）様々なアルゴリズムを実装することによって対応する機能を実行するように構成された処理システムによって実装され得る。例えば、ＰＨＹヘッダとＭＡＣペイロードとを有する第１のフレームを生成するためのアルゴリズム、第１のフレームへの応答フレームがある期間内に送信されるべきである旨の指示を第１のフレームのＰＨＹヘッダにおいて提供するためのアルゴリズム、および、送信のために第１のフレームを出力するためのアルゴリズム。別の例において、ＰＨＹヘッダとＭＡＣペイロードとを有する第１のフレームを得るためのアルゴリズム、および、第１のフレームのＰＨＹヘッダにおいて提供された指示に基づいて、第１のフレームへの応答フレームがある期間内に送信されるべきであると決定するためのアルゴリズム。
【００８１】
[0095]本開示に関連して説明される様々な例示的な論理ブロック、モジュールおよび回路は、本明細書において説明される機能を実行するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、他のプログラマブル論理デバイス（ＰＬＤ）、ディスクリートゲートロジック、ディスクリートトランジスタロジック、ディスクリートハードウェアコンポーネント、またはそれらの任意の組合せ、を用いて実装又は実行され得る。汎用プロセッサはマイクロプロセッサであることができるが、代替においては、プロセッサは、任意の市販のプロセッサ、コントローラ、マイクロコントローラ、またはステートマシンでありある。プロセッサはまた、コンピューティングデバイスの組合せ、例えば、ＤＳＰと、１つのマイクロプロセッサとの組合せ、複数のマイクロプロセッサとの組合せ、ＤＳＰコアと関連する１つまたは複数のマイクロプロセッサとの組合せ、またはあらゆる他のそのような構成、として実装され得る。
【００８２】
[0096]ハードウェア内に実装される場合は、ハードウェア構成例は、無線ノードにおける処理システムを備え得る。処理システムは、バスアーキテクチャを使用して実装され得る。バスは、処理システムの特定の適用例および全体的設計制約に依存して任意の数の相互接続バスとブリッジとを含み得る。バスは、プロセッサと、機械可読媒体と、バスインタフェースと、を含む様々な回路をまとめてリンクし得る。バスインタフェースは、とりわけ、バスを介して処理システムにネットワークアダプタを接続するために使用され得る。ネットワークアダプタは、ＰＨＹ層の信号処理機能を実装するために使用され得る。ユーザ端末１２０の場合は（図１参照）、ユーザインタフェース（例えば、キーパッド、ディスプレイ、マウス、ジョイスティック、等）もまたバスに接続され得る。バスはまた、タイミングソース、周辺機器、電圧調整器、電力管理回路、および同様の物のような様々な他の回路をリンクし得、それらは、当業界においてよく知られており、従って、これ以上は説明されない。プロセッサは、１つまたは複数の汎用および／または専用プロセッサとともに実装され得る。例は、マイクロプロセッサと、マイクロコントローラと、ＤＳＰプロセッサと、ソフトウェアを実行することができる他の回路と、を含む。当業者は、特定の適用例および全体的なシステムに対して課せられた全体的設計制約に依存して処理システムに関する説明される機能を実装する最良の方法を認識するであろう。
【００８３】
[0097]ソフトウェア内に実装される場合は、機能は、１つまたは複数の命令またはコードとしてコンピュータ可読媒体上に格納されるかまたはコンピュータ可読媒体を通じて送信され得る。ソフトウェアは、ソフトウェア、ファームウェア、ミドルウェア、マイクロコード、ハードウェア記述言語、またはその他のいずれとして呼ばれるかにかかわらず、命令、データ、またはそれらの任意の組み合わせを意味すると広義で解釈されるものとする。コンピュータ可読媒体は、コンピュータ記憶媒体と、１つの場所から別へのコンピュータプログラムの転送を容易にする任意の媒体を含む通信媒体と、の両方を含む。プロセッサは、バスを管理することおよび機械可読記憶媒体上に格納されたソフトウェアモジュールの実行を含む一般的処理を担い得る。コンピュータ可読記憶媒体は、プロセッサが記憶媒体から情報を読み取ることができ、およびコンピュータ可読記憶媒体に情報を書き込むことができるような形でプロセッサに結合され得る。代替において、記憶媒体は、プロセッサと一体化され得る。例として、機械可読媒体は、送信ライン、データによって変調されたキャリア波、および／または、無線ノードから分離された命令が格納されているコンピュータ可読記憶媒体を含み得、それらはすべて、バスインタフェースを通じてプロセッサによってアクセスされ得る。代替として、またはさらに加えて、機械可読媒体、またはそれの任意の一部分は、キャッシュおよび／または汎用レジスタファイルの場合と同じように、プロセッサ内に統合され得る。機械可読記憶媒体は、例として、ＲＡＭ（ランダムアクセスメモリ）、フラッシュメモリ、ＲＯＭ（読み取り専用メモリ）、ＰＲＯＭ（プログラマブル読み取り専用メモリ）、ＥＰＲＯＭ（消去可能プログラマブル読み取り専用メモリ）、ＥＥＰＲＯＭ（登録商標）（電気的消去可能読み取り専用メモリ）、レジスタ、磁気ディスク、光ディスク、ハードドライブ、または任意の他の適切な記憶媒体、またはそれらの任意の組み合わせを含み得る。機械可読媒体は、コンピュータプログラム製品において具現化され得る。
【００８４】
[0098]ソフトウェアモジュールは、単一の命令、または多くの命令を備え得、および、幾つかの異なるコードセグメントにわたって、異なるプログラム間で、および複数の記憶媒体にわたって分散され得る。コンピュータ可読媒体は、幾つかのソフトウェアモジュールを備え得る。ソフトウェアモジュールは、プロセッサのような装置によって実行されると様々な機能を実行することを処理システムに行わせる命令を含む。ソフトウェアモジュールは、送信モジュールと、受信モジュールと、を含み得る。各ソフトウェアモジュールは、単一の記憶デバイスに常駐し得、または、複数の記憶媒体にわたって分散され得る。例として、ソフトウェアモジュールは、トリガリングイベントが発生したときにハードドライブからＲＡＭ内にロードされ得る。ソフトウェアモジュールの実行中に、プロセッサは、アクセス速度を上げるためにキャッシュ内に命令のうちの一部をロードし得る。次に、プロセッサによる実行のために１つまたは複数のキャッシュラインが汎用レジスタファイル内にロードされ得る。以下においてソフトウェアモジュールの機能に言及するときには、そのような機能はそのソフトウェアモジュールからの命令を実行するときにプロセッサによって実装されることが理解されるであろう。
【００８５】
[0099]さらに、いずれの接続も、コンピュータ可読媒体と適切に呼ばれる。例えば、ソフトウェアが、同軸ケーブル、光ファイバケーブル、より対線、デジタル加入者ライン（ＤＳＬ）、または、赤外線（ＩＲ）、無線、およびマイクロ波のような無線技術を使用してウェブサイト、サーバ、または他の遠隔ソースから送信される場合、同軸ケーブル、光ファイバケーブル、より対線、ＤＳＬ、または、赤外線、無線、およびマイクロ波のような無線技術は、媒体の定義の中に含まれる。本明細書において用いられるときのディスク（ｄｉｓｋおよびｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、Ｂｌｕｅ−ｒａｙ（登録商標）ディスク（ｄｉｓｃ）と、を含み、ここで、ｄｉｓｋは、通常は磁気的にデータを再生し、ｄｉｓｃは、レーザを用いて光学的にデータを再生する。従って、幾つかの態様において、コンピュータ可読媒体は、非一時的なコンピュータ可読媒体（例えば、有形の媒体）を備え得る。さらに、他の態様に関して、コンピュータ可読媒体は、一時的なコンピュータ可読媒体（例えば、信号）を備え得る。上記の組み合わせも、コンピュータ可読媒体の適用範囲内に含められるべきである。
【００８６】
[0100]以上のように、幾つかの態様は、本明細書において提示された動作を実行するためのコンピュータプログラム製品を備え得る。例えば、そのようなコンピュータプログラム製品は、それの上に格納された（および／または符号化された）命令を有するコンピュータ可読媒体を備え得、命令は、本明細書において説明される動作を実行するために１つまたは複数のプロセッサによって実行可能である。例えば、ＰＨＹヘッダとＭＡＣペイロードとを有する第１のフレームを生成するための命令、第１のフレームへの応答フレームがある期間内に送信されるべきである旨の指示を第１のフレームのＰＨＹヘッダにおいて提供するための命令、および、送信のために第１のフレームを出力するための命令。別の例において、ＰＨＹヘッダとＭＡＣペイロードとを有する第１のフレームを得るための命令、および、第１のフレームのＰＨＹヘッダにおいて提供された指示に基づいて、第１のフレームへの応答フレームがある期間内に送信されるべきであると決定するための命令。
【００８７】
[0101]さらに、本明細書において説明される方法および技法を実行するためのモジュールおよび／または他の適切な手段は、ユーザ端末および／または基地局によって適宜ダウンロードされるおよび／または他の方法で得られることができる。例えば、そのようなデバイスは、本明細書において説明される方法を実行するための手段の転送を容易にするためにサーバに結合されることができる。代替として、本明細書において説明される様々な方法は、記憶手段（例えば、ＲＡＭ、ＲＯＭ、コンパクトディスク（ＣＤ）またはフロッピーディスクのような物理的記憶媒体、等）を介して提供されることができ、従って、ユーザ端末および／または基地局は、デバイスに記憶手段を結合または提供した時点で様々な方法を得ることができる。さらに、本明細書において説明される方法および技法をデバイスに提供するための任意の他の適切な技法が利用されることができる。
【００８８】
[0102]請求項は、上において示される正確な構成およびコンポーネントに限定されないことが理解されるべきである。請求項の範囲から逸脱することなしに上述される方法および装置の配置、動作および詳細に関して様々な修正、変更および変形が行われ得る。
【図１】
2017539175.tif 000003
【図２】
2017539175.tif 000004
【図３】
2017539175.tif 000005
【図４】
2017539175.tif 000006
【図５】
2017539175.tif 000007
【図６】
2017539175.tif 000008
【図６Ａ】
2017539175.tif 000009
【図７】
2017539175.tif 000010
【図８】
2017539175.tif 000011
【図８Ａ】
2017539175.tif 000012
【図９】
2017539175.tif 000013
【図１０】
2017539175.tif 000014
【図１１】
2017539175.tif 000015
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
物理層（ＰＨＹ）ヘッダとメディアアクセス制御（ＭＡＣ）ペイロードとを有する第１のフレームを得るように構成された第１のインタフェースと、
前記第１のフレームの前記ＰＨＹヘッダにおいて提供された指示に基づいて、前記第１のフレームへの応答フレームがある期間内に送信されるべきであると決定し、
前記ＭＡＣペイロードを復号することが完了する前に前記応答フレームの少なくとも第１の部分を生成する
ように構成された処理システムと、
前記ＭＡＣペイロードを復号することが完了する前に、送信のために前記応答フレームの前記少なくとも第１の部分を出力するように構成された第２のインタフェースと
を備える、ワイヤレス通信のための装置。
【請求項２】
前記処理システムは、前記決定に基づいて前記応答フレームを生成するように構成され、
前記第２のインタフェースは、前記ある期間内での送信のために前記応答フレームを出力するように構成される、
請求項１に記載の装置。
【請求項３】
前記処理システムは、前記第１のフレームに関して使用される１つまたは複数のＰＨＹ送信パラメータおよびモードに基づいて、前記応答フレームに関する１つまたは複数のＰＨＹ送信パラメータおよびモードを決定するように構成される、
請求項１に記載の装置。
【請求項４】
前記処理システムは、前記第１のフレームに関して使用される帯域幅に基づいて、前記応答フレームに関する帯域幅を決定するように構成される、
請求項１に記載の装置。
【請求項５】
前記処理システムは、
前記第１のフレームの前記復号されたＭＡＣペイロードに基づいて前記応答フレームに関するＭＡＣ内容物を決定し、
前記決定されたＭＡＣ内容物を有する前記応答フレームを生成する
ように構成される、請求項１に記載の装置。
【請求項６】
前記第１の部分は、前記応答フレームの少なくともＰＨＹヘッダを備える、
請求項１に記載の装置。
【請求項７】
前記応答フレームは、データフレーム、肯定応答（ＡＣＫ）フレーム、ブロックＡＣＫ（ＢＡ）フレーム、または送信クリア（ＣＴＳ）フレームのうちの１つを備える、
請求項１に記載の装置。
【請求項８】
前記第１のフレームの前記ＰＨＹヘッダにおいて提供された前記指示は、前記装置のＭＡＣアドレス、前記装置の部分的ＭＡＣアドレス、前記装置の関連性識別子（ＡＩＤ）、または前記第１のフレームのソースのＭＡＣアドレスを備える、
請求項１に記載の装置。
【請求項９】
ワイヤレス通信のための装置であって、
物理層（ＰＨＹ）ヘッダとメディアアクセス制御（ＭＡＣ）ペイロードとを有する第１のフレームを生成するようにおよび前記第１のフレームへの応答フレームがある期間内に送信されるべきである旨の指示を前記第１のフレームの前記ＰＨＹヘッダにおいて提供するように構成された処理システムと、ここにおいて、前記第１のフレームの前記ＰＨＹヘッダにおける前記指示は、前記応答フレームが、前記ＭＡＣペイロードを復号することが完了する前に、生成されるべきであることを示す、
送信のために前記第１のフレームを出力するように構成された第１のインタフェースと、
を備える、ワイヤレス通信のための装置。
【請求項１０】
前記ＭＡＣペイロードは、ＭＡＣプロトコルデータユニット（ＭＰＤＵ）、アグリゲーテッドＭＰＤＵ（Ａ−ＭＰＤＵ）、または送信要求（ＲＴＳ）フレームのうちの１つを備える、
請求項９に記載の装置。
【請求項１１】
前記第１のフレームの前記ＰＨＹヘッダにおいて提供された前記指示は、１つまたは複数のデバイスのＭＡＣアドレス、前記１つまたは複数のデバイスの部分的ＭＡＣアドレス、前記１つまたは複数のデバイスの関連性識別子（ＡＩＤ）、または前記装置のＭＡＣアドレスのうちの少なくとも１つを備える、
請求項９に記載の装置。
【請求項１２】
前記第１のフレームの前記ＰＨＹヘッダにおいて提供された前記指示は、前記応答フレームに関する１つまたは複数のＰＨＹ送信パラメータおよびモードを備える、
請求項９に記載の装置。
【請求項１３】
前記１つまたは複数のＰＨＹ送信パラメータは、前記応答フレームが単一ユーザ（ＳＵ）または複数ユーザ（ＭＵ）フレームのいずれとして送信されるべきであるかの指示、前記応答フレームに関する帯域幅、前記応答フレームに関する変調およびコーディング方式（ＭＳＣ）、前記応答フレームに関するガード間隔（ＧＩ）、前記応答フレームに関する空間ストリームの数、または前記応答フレームの継続時間のうちの少なくとも１つを備える、
請求項１２に記載の装置。
【請求項１４】
前記指示は、前記第１のフレームの前記ＰＨＹヘッダのブロードキャストフィールドを介して提供される、
請求項９に記載の装置。
【請求項１５】
ワイヤレス通信のための方法であって、
物理層（ＰＨＹ）ヘッダとメディアアクセス制御（ＭＡＣ）ペイロードとを有する第１のフレームを得ることと、
前記第１のフレームの前記ＰＨＹヘッダにおいて提供された指示に基づいて、前記第１のフレームへの応答フレームがある期間内に送信されるべきであると決定することと、
前記ＭＡＣペイロードを復号することが完了する前に前記応答フレームの少なくとも第１の部分を生成することと、
前記ＭＡＣペイロードを復号することが完了する前に、送信のために前記応答フレームの前記少なくとも第１の部分を出力することと
を備える、ワイヤレス通信のための方法。
【請求項１６】
前記決定に基づいて前記応答フレームを生成することと、
前記ある期間内での送信のために前記応答フレームを出力することと
をさらに備える、請求項１５に記載の方法。
【請求項１７】
前記第１のフレームに関して使用される１つまたは複数のＰＨＹ送信パラメータおよびモードに基づいて、前記応答フレームに関する１つまたは複数のＰＨＹ送信パラメータおよびモードを決定すること
をさらに備える、請求項１５に記載の方法。
【請求項１８】
前記第１のフレームに関して使用される帯域幅に基づいて、前記応答フレームに関する帯域幅を決定すること
をさらに備える、請求項１５に記載の方法。
【請求項１９】
前記第１のフレームの前記復号されたＭＡＣペイロードに基づいて前記応答フレームに関するＭＡＣ内容物を決定することと、
前記決定されたＭＡＣ内容物を有する前記応答フレームを生成することと
をさらに備える、請求項１５に記載の方法。
【請求項２０】
前記第１の部分は、前記応答フレームの少なくともＰＨＹヘッダを備える、
請求項１９に記載の方法。
【請求項２１】
前記応答フレームは、データフレーム、肯定応答（ＡＣＫ）フレーム、ブロックＡＣＫ（ＢＡ）フレーム、または送信クリア（ＣＴＳ）フレームのうちの１つを備える、
請求項１５に記載の方法。
【請求項２２】
前記第１のフレームの前記ＰＨＹヘッダにおいて提供された前記指示は、前記装置のＭＡＣアドレス、前記装置の部分的ＭＡＣアドレス、前記装置の関連性識別子（ＡＩＤ）、または前記第１のフレームのソースのＭＡＣアドレスを備える、
請求項１５に記載の方法。
【請求項２３】
ワイヤレス通信のための方法であって、
物理層（ＰＨＹ）ヘッダとメディアアクセス制御（ＭＡＣ）ペイロードとを有する第１のフレームを生成することと、
前記第１のフレームへの応答フレームがある期間内に送信されるべきである旨の指示を前記第１のフレームの前記ＰＨＹヘッダにおいて提供することと、ここにおいて、前記第１のフレームの前記ＰＨＹヘッダにおける前記指示は、前記応答フレームが、前記ＭＡＣペイロードを復号することが完了する前に、生成されるべきであることを示す、
送信のために前記第１のフレームを出力することと、
を備える、ワイヤレス通信のための方法。
【請求項２４】
前記ＭＡＣペイロードは、ＭＡＣプロトコルデータユニット（ＭＰＤＵ）、アグリゲーテッドＭＰＤＵ（Ａ−ＭＰＤＵ）、または送信要求（ＲＴＳ）フレームのうちの１つを備える、
請求項２３に記載の方法。
【請求項２５】
前記第１のフレームの前記ＰＨＹヘッダにおいて提供された前記指示は、１つまたは複数のデバイスのＭＡＣアドレス、前記１つまたは複数のデバイスの部分的ＭＡＣアドレス、前記１つまたは複数のデバイスの関連性識別子（ＡＩＤ）、または前記装置のＭＡＣアドレスのうちの少なくとも１つを備える、
請求項２３に記載の方法。
【請求項２６】
前記第１のフレームの前記ＰＨＹヘッダにおいて提供された前記指示は、前記応答フレームに関する１つまたは複数のＰＨＹ送信パラメータおよびモードを備える、
請求項２３に記載の方法。
【請求項２７】
前記１つまたは複数のＰＨＹ送信パラメータは、前記応答フレームが単一ユーザ（ＳＵ）または複数ユーザ（ＭＵ）フレームのいずれとして送信されるべきであるかの指示、前記応答フレームに関する帯域幅、前記応答フレームに関する変調およびコーディング方式（ＭＳＣ）、前記応答フレームに関するガード間隔（ＧＩ）、前記応答フレームに関する空間ストリームの数、または前記応答フレームの継続時間のうちの少なくとも１つを備える、
請求項２６に記載の方法。
【請求項２８】
前記指示は、前記第１のフレームの前記ＰＨＹヘッダのブロードキャストフィールドを介して提供される、
請求項２３に記載の方法。
【請求項２９】
ワイヤレス通信のための装置であって、
物理層（ＰＨＹ）ヘッダとメディアアクセス制御（ＭＡＣ）ペイロードとを有する第１のフレームを得るための手段と、
前記第１のフレームの前記ＰＨＹヘッダにおいて提供された指示に基づいて、前記第１のフレームへの応答フレームがある期間内に送信されるべきであると決定するための手段と、
前記ＭＡＣペイロードを復号することが完了する前に前記応答フレームの少なくとも第１の部分を生成するための手段と、
前記ＭＡＣペイロードを復号することが完了する前に、前記応答フレームの前記少なくとも第１の部分のための手段と
を備える、ワイヤレス通信のための装置。
【請求項３０】
前記決定に基づいて前記応答フレームを生成するための手段と、
前記ある期間内での送信のために前記応答フレームを出力するための手段と
をさらに備える、請求項２９に記載の装置。
【請求項３１】
前記第１のフレームに関して使用される１つまたは複数のＰＨＹ送信パラメータおよびモードに基づいて、前記応答フレームに関する１つまたは複数のＰＨＹ送信パラメータおよびモードを決定するための手段
をさらに備える、請求項２９に記載の装置。
【請求項３２】
前記第１のフレームに関して使用される帯域幅に基づいて、前記応答フレームに関する帯域幅を決定するための手段
をさらに備える、請求項２９に記載の装置。
【請求項３３】
前記第１のフレームの前記復号されたＭＡＣペイロードに基づいて前記応答フレームに関するＭＡＣ内容物を決定するための手段と、
前記決定されたＭＡＣ内容物を有する前記応答フレームを生成するための手段と、
をさらに備える、請求項２９に記載の装置。
【請求項３４】
前記第１の部分は、前記応答フレームの少なくともＰＨＹヘッダを備える、
請求項２９に記載の装置。
【請求項３５】
前記応答フレームは、データフレーム、肯定応答（ＡＣＫ）フレーム、ブロックＡＣＫ（ＢＡ）フレーム、または送信クリア（ＣＴＳ）フレームのうちの１つを備える、
請求項２９に記載の装置。
【請求項３６】
前記第１のフレームの前記ＰＨＹヘッダにおいて提供された前記指示は、前記装置のＭＡＣアドレス、前記装置の部分的ＭＡＣアドレス、前記装置の関連性識別子（ＡＩＤ）、または前記第１のフレームのソースのＭＡＣアドレスを備える、
請求項２９に記載の装置。
【請求項３７】
ワイヤレス通信のための装置であって、
物理層（ＰＨＹ）ヘッダとメディアアクセス制御（ＭＡＣ）ペイロードとを有する第１のフレームを生成するための手段と、
前記第１のフレームへの応答フレームがある期間内に送信されるべきである旨の指示を前記第１のフレームの前記ＰＨＹヘッダにおいて提供するための手段と、ここにおいて、前記第１のフレームの前記ＰＨＹヘッダにおける前記指示は、前記応答フレームが、前記ＭＡＣペイロードを復号することが完了する前に、生成されるべきであることを示す、
送信のために前記第１のフレームを出力するための手段と、
を備える、ワイヤレス通信のための装置。
【請求項３８】
前記ＭＡＣペイロードは、ＭＡＣプロトコルデータユニット（ＭＰＤＵ）、アグリゲーテッドＭＰＤＵ（Ａ−ＭＰＤＵ）、または送信要求（ＲＴＳ）フレームのうちの１つを備える、
請求項３７に記載の装置。
【請求項３９】
前記第１のフレームの前記ＰＨＹヘッダにおいて提供された前記指示は、１つまたは複数のデバイスのＭＡＣアドレス、前記１つまたは複数のデバイスの部分的ＭＡＣアドレス、前記１つまたは複数のデバイスの関連性識別子（ＡＩＤ）、または前記装置のＭＡＣアドレスのうちの少なくとも１つを備える、
請求項３７に記載の装置。
【請求項４０】
前記第１のフレームの前記ＰＨＹヘッダにおいて提供された前記指示は、前記応答フレームに関する１つまたは複数のＰＨＹ送信パラメータおよびモードを備える、
請求項３７に記載の装置。
【請求項４１】
前記１つまたは複数のＰＨＹ送信パラメータは、前記応答フレームが単一ユーザ（ＳＵ）または複数ユーザ（ＭＵ）フレームのいずれとして送信されるべきであるかの指示、前記応答フレームに関する帯域幅、前記応答フレームに関する変調およびコーディング方式（ＭＳＣ）、前記応答フレームに関するガード間隔（ＧＩ）、前記応答フレームに関する空間ストリームの数、または前記応答フレームの継続時間のうちの少なくとも１つを備える、
請求項４０に記載の装置。
【請求項４２】
前記指示は、前記第１のフレームの前記ＰＨＹヘッダのブロードキャストフィールドを介して提供される、
請求項３７に記載の装置。
【請求項４３】
無線局であって、
少なくとも１本のアンテナと、
前記少なくとも１本のアンテナを介して、物理層（ＰＨＹ）ヘッダとメディアアクセス制御（ＭＡＣ）ペイロードとを有する第１のフレームを受信するように構成された受信機と、
前記第１のフレームの前記ＰＨＹヘッダにおいて提供された指示に基づいて、前記第１のフレームへの応答フレームがある期間内に送信されるべきであると決定し、
前記ＭＡＣペイロードを復号することが完了する前に前記応答フレームの少なくとも第１の部分を生成する、
ように構成された処理システムと、
前記ＭＡＣペイロードを復号することが完了する前に、前記応答フレームの前記少なくとも第１の部分を送信するように構成された送信機と
を備える、無線局。
【請求項４４】
アクセスポイントであって、
少なくとも１本のアンテナと、
物理層（ＰＨＹ）ヘッダとメディアアクセス制御（ＭＡＣ）ペイロードとを有する第１のフレームを生成するようにおよび前記第１のフレームへの応答フレームがある期間内に送信されるべきである旨の指示を前記第１のフレームの前記ＰＨＹヘッダにおいて提供するように構成された処理システムと、ここにおいて、前記第１のフレームの前記ＰＨＹヘッダにおける前記指示は、前記応答フレームが、前記ＭＡＣペイロードを復号することが完了する前に、生成されるべきであることを示す、
前記少なくとも１本のアンテナを介して、送信のために前記第１のフレームを送信するように構成された送信機と
を備える、アクセスポイント。
【請求項４５】
コンピュータ可読媒体であって、
物理層（ＰＨＹ）ヘッダとメディアアクセス制御（ＭＡＣ）ペイロードとを有する第１のフレームを得、
前記第１のフレームの前記ＰＨＹヘッダにおいて提供された指示に基づいて、前記第１のフレームへの応答フレームがある期間内に送信されるべきであると決定し、
前記ＭＡＣペイロードを復号することが完了する前に前記応答フレームの少なくとも第１の部分を生成し、
前記ＭＡＣペイロードを復号することが完了する前に、前記応答フレームの前記少なくとも第１の部分を出力する
ために格納された命令を有する、コンピュータ可読媒体。
【請求項４６】
コンピュータ可読媒体であって、
物理層（ＰＨＹ）ヘッダとメディアアクセス制御（ＭＡＣ）ペイロードとを有する第１のフレームを生成し、
前記第１のフレームへの応答フレームがある期間内に送信されるべきである旨の指示を前記第１のフレームの前記ＰＨＹヘッダにおいて提供し、ここにおいて、前記第１のフレームの前記ＰＨＹヘッダにおける前記指示は、前記応答フレームが、前記ＭＡＣペイロードを復号することが完了する前に、生成されるべきであることを示す、
送信のために前記第１のフレームを出力する
ために格納された命令を有する、コンピュータ可読媒体。
【手続補正２】
【補正対象書類名】明細書
【補正対象項目名】００８８
【補正方法】変更
【補正の内容】
【００８８】
[0102]請求項は、上において示される正確な構成およびコンポーネントに限定されないことが理解されるべきである。請求項の範囲から逸脱することなしに上述される方法および装置の配置、動作および詳細に関して様々な修正、変更および変形が行われ得る。
以下に本願の出願当初の特許請求の範囲に記載された発明を付記する。
［Ｃ１］
ワイヤレス通信のための装置であって、
物理層（ＰＨＹ）ヘッダとメディアアクセス制御（ＭＡＣ）ペイロードとを有する第１のフレームを得るように構成された第１のインタフェースと、
前記第１のフレームの前記ＰＨＹヘッダにおいて提供された指示に基づいて、前記第１のフレームへの応答フレームがある期間内に送信されるべきであると決定するように構成された処理システムと、を備える、ワイヤレス通信のための装置。
［Ｃ２］
前記処理システムは、前記決定に基づいて前記応答フレームを生成するように構成され、および、
前記装置は、前記ある期間内での送信のために前記応答フレームを出力するように構成された第２のインタフェースをさらに備える、
Ｃ１に記載の装置。
［Ｃ３］
前記処理システムは、前記第１のフレームに関して使用される１つまたは複数のＰＨＹ送信パラメータおよびモードに基づいて、前記応答フレームに関する１つまたは複数のＰＨＹ送信パラメータおよびモードを決定するように構成される、
Ｃ１に記載の装置
［Ｃ４］
前記処理システムは、前記第１のフレームに関して使用される帯域幅に基づいて、前記応答フレームに関する帯域幅を決定するように構成される、
Ｃ１に記載の装置。
［Ｃ５］
前記処理システムは、
前記第１のフレームの前記ＭＡＣペイロードを復号し、
前記第１のフレームの前記復号されたＭＡＣペイロードに基づいて前記応答フレームに関するＭＡＣ内容物を決定し、および、
前記決定されたＭＡＣ内容物を有する前記応答フレームを生成するように構成される、
Ｃ１に記載の装置。
［Ｃ６］
前記処理システムは、前記ＭＡＣペイロードを復号することが完了する前に前記応答フレームの少なくとも第１の部分を生成するように構成される、
Ｃ５に記載の装置。
［Ｃ７］
前記第１の部分は、前記応答フレームの少なくともＰＨＹヘッダを備える、
Ｃ６に記載の装置。
［Ｃ８］
前記応答フレームは、データフレーム、肯定応答（ＡＣＫ）フレーム、ブロックＡＣＫ（ＢＡ）フレーム、または送信クリア（ＣＴＳ）フレームのうちの１つを備える、
Ｃ１に記載の装置。
［Ｃ９］
前記第１のフレームの前記ＰＨＹヘッダにおいて提供された前記指示は、前記装置のＭＡＣアドレス、前記装置の部分的ＭＡＣアドレス、前記装置の関連性識別子（ＡＩＤ）、または前記第１のフレームのソースのＭＡＣアドレスを備える、
Ｃ１に記載の装置。
［Ｃ１０］
ワイヤレス通信のための装置であって、
物理層（ＰＨＹ）ヘッダとメディアアクセス制御（ＭＡＣ）ペイロードとを有する第１のフレームを生成するようにおよび前記第１のフレームへの応答フレームがある期間内に送信されるべきである旨の指示を前記第１のフレームの前記ＰＨＹヘッダにおいて提供するように構成された処理システムと、
送信のために前記第１のフレームを出力するように構成された第１のインタフェースと、を備える、ワイヤレス通信のための装置。
［Ｃ１１］
前記ＭＡＣペイロードは、ＭＡＣプロトコルデータユニット（ＭＰＤＵ）、アグリゲーテッドＭＰＤＵ（Ａ−ＭＰＤＵ）、または送信要求（ＲＴＳ）フレームのうちの１つを備える、
Ｃ１０に記載の装置。
［Ｃ１２］
前記第１のフレームの前記ＰＨＹヘッダにおいて提供された前記指示は、１つまたは複数のデバイスのＭＡＣアドレス、前記１つまたは複数のデバイスの部分的ＭＡＣアドレス、前記１つまたは複数のデバイスの関連性識別子（ＡＩＤ）、または前記装置のＭＡＣアドレスのうちの少なくとも１つを備える、
Ｃ１０に記載の装置。
［Ｃ１３］
前記第１のフレームの前記ＰＨＹヘッダにおいて提供された前記指示は、前記応答フレームに関する１つまたは複数のＰＨＹ送信パラメータとモードとを備える、
Ｃ１０に記載の装置。
［Ｃ１４］
前記１つまたは複数のＰＨＹ送信パラメータは、前記応答フレームが単一ユーザ（ＳＵ）または複数ユーザ（ＭＵ）フレームのいずれとして送信されるべきであるかの指示、前記応答フレームに関する帯域幅、前記応答フレームに関する変調およびコーディング方式（ＭＳＣ）、前記応答フレームに関するガード間隔（ＧＩ）、前記応答フレームに関する空間ストリームの数、または前記応答フレームの継続時間のうちの少なくとも１つを備える、
Ｃ１３に記載の装置。
［Ｃ１５］
前記指示は、前記第１のフレームの前記ＰＨＹヘッダのブロードキャストフィールドを介して提供される、
Ｃ１０に記載の装置。
［Ｃ１６］
ワイヤレス通信のための方法であって、
物理層（ＰＨＹ）ヘッダとメディアアクセス制御（ＭＡＣ）ペイロードとを有する第１のフレームを得ることと、
前記第１のフレームの前記ＰＨＹヘッダにおいて提供された指示に基づいて、前記第１のフレームへの応答フレームがある期間内に送信されるべきであると決定することと、を備える、ワイヤレス通信のための方法。
［Ｃ１７］
前記決定に基づいて前記応答フレームを生成することと、
前記ある期間内での送信のために前記応答フレームを出力することと、をさらに備える、
Ｃ１６に記載の方法。
［Ｃ１８］
前記第１のフレームに関して使用される１つまたは複数のＰＨＹ送信パラメータおよびモードに基づいて、前記応答フレームに関する１つまたは複数のＰＨＹ送信パラメータおよびモードを決定することをさらに備える、
Ｃ１６に記載の方法。
［Ｃ１９］
前記第１のフレームに関して使用される帯域幅に基づいて、前記応答フレームに関する帯域幅を決定することをさらに備える、
Ｃ１６に記載の方法。
［Ｃ２０］
前記第１のフレームの前記ＭＡＣペイロードを復号することと、
前記第１のフレームの前記復号されたＭＡＣペイロードに基づいて前記応答フレームに関するＭＡＣ内容物を決定することと、
前記決定されたＭＡＣ内容物を有する前記応答フレームを生成することと、をさらに備える、
Ｃ１６に記載の方法。
［Ｃ２１］
前記ＭＡＣペイロードを復号することが完了する前に前記応答フレームの少なくとも第１の部分が生成される、
Ｃ２０に記載の方法。
［Ｃ２２］
前記第１の部分は、前記応答フレームの少なくともＰＨＹヘッダを備える、
Ｃ２１に記載の方法。
［Ｃ２３］
前記応答フレームは、データフレーム、肯定応答（ＡＣＫ）フレーム、ブロックＡＣＫ（ＢＡ）フレーム、または送信クリア（ＣＴＳ）フレームのうちの１つを備える、
Ｃ１６に記載の方法。
［Ｃ２４］
前記第１のフレームの前記ＰＨＹヘッダにおいて提供された前記指示は、前記装置のＭＡＣアドレス、前記装置の部分的ＭＡＣアドレス、前記装置の関連性識別子（ＡＩＤ）、または前記第１のフレームのソースのＭＡＣアドレスを備える、
Ｃ１６に記載の方法。
［Ｃ２５］
ワイヤレス通信のための方法であって、
物理層（ＰＨＹ）ヘッダとメディアアクセス制御（ＭＡＣ）ペイロードとを有する第１のフレームを生成することと、
前記第１のフレームへの応答フレームがある期間内に送信されるべきである旨の指示を前記第１のフレームの前記ＰＨＹヘッダにおいて提供することと、
送信のために前記第１のフレームを出力することと、を備える、ワイヤレス通信のための方法。
［Ｃ２６］
前記ＭＡＣペイロードは、ＭＡＣプロトコルデータユニット（ＭＰＤＵ）、アグリゲーテッドＭＰＤＵ（Ａ−ＭＰＤＵ）、または送信要求（ＲＴＳ）フレームのうちの１つを備える、
Ｃ２５に記載の方法。
［Ｃ２７］
前記第１のフレームの前記ＰＨＹヘッダにおいて提供された前記指示は、１つまたは複数のデバイスのＭＡＣアドレス、前記１つまたは複数のデバイスの部分的ＭＡＣアドレス、前記１つまたは複数のデバイスの関連性識別子（ＡＩＤ）、または前記装置のＭＡＣアドレスのうちの少なくとも１つを備える、
Ｃ２５に記載の方法。
［Ｃ２８］
前記第１のフレームの前記ＰＨＹヘッダにおいて提供された前記指示は、前記応答フレームに関する１つまたは複数のＰＨＹ送信パラメータとモードとを備える、
Ｃ２５に記載の方法。
［Ｃ２９］
前記１つまたは複数のＰＨＹ送信パラメータは、前記応答フレームが単一ユーザ（ＳＵ）または複数ユーザ（ＭＵ）フレームのいずれとして送信されるべきであるかの指示、前記応答フレームに関する帯域幅、前記応答フレームに関する変調およびコーディング方式（ＭＳＣ）、前記応答フレームに関するガード間隔（ＧＩ）、前記応答フレームに関する空間ストリームの数、または前記応答フレームの継続時間のうちの少なくとも１つを備える、
Ｃ２８に記載の方法。
［Ｃ３０］
前記指示は、前記第１のフレームの前記ＰＨＹヘッダのブロードキャストフィールドを介して提供される、
Ｃ２５に記載の方法。
［Ｃ３１］
ワイヤレス通信のための装置であって、
物理層（ＰＨＹ）ヘッダとメディアアクセス制御（ＭＡＣ）ペイロードとを有する第１のフレームを得るための手段と、
前記第１のフレームの前記ＰＨＹヘッダにおいて提供された指示に基づいて、前記第１のフレームへの応答フレームがある期間内に送信されるべきであると決定するための手段と、を備える、ワイヤレス通信のための装置。
［Ｃ３２］
前記決定に基づいて前記応答フレームを生成するための手段と、
前記ある期間内での送信のために前記応答フレームを出力するための手段と、をさらに備える、
Ｃ３１に記載の装置。
［Ｃ３３］
前記第１のフレームに関して使用される１つまたは複数のＰＨＹ送信パラメータおよびモードに基づいて、前記応答フレームに関する１つまたは複数のＰＨＹ送信パラメータおよびモードを決定するための手段をさらに備える、
Ｃ３１に記載の装置
［Ｃ３４］
前記第１のフレームに関して使用される帯域幅に基づいて、前記応答フレームに関する帯域幅を決定するための手段をさらに備える、
Ｃ３１に記載の装置。
［Ｃ３５］
前記第１のフレームの前記ＭＡＣペイロードを復号するための手段と、
前記第１のフレームの前記復号されたＭＡＣペイロードに基づいて前記応答フレームに関するＭＡＣ内容物を決定するための手段と、
前記決定されたＭＡＣ内容物を有する前記応答フレームを生成するための手段と、をさらに備える、
Ｃ３１に記載の装置。
［Ｃ３６］
前記ＭＡＣペイロードを復号することが完了する前に前記応答フレームの少なくとも第１の部分が生成される、
Ｃ３５に記載の装置。
［Ｃ３７］
前記第１の部分は、前記応答フレームの少なくともＰＨＹヘッダを備える、
Ｃ３６に記載の装置。
［Ｃ３８］
前記応答フレームは、データフレーム、肯定応答（ＡＣＫ）フレーム、ブロックＡＣＫ（ＢＡ）フレーム、または送信クリア（ＣＴＳ）フレームのうちの１つを備える、
Ｃ３１に記載の装置。
［Ｃ３９］
前記第１のフレームの前記ＰＨＹヘッダにおいて提供された前記指示は、前記装置のＭＡＣアドレス、前記装置の部分的ＭＡＣアドレス、前記装置の関連性識別子（ＡＩＤ）、または前記第１のフレームのソースのＭＡＣアドレスを備える、
Ｃ３１に記載の装置。
［Ｃ４０］
ワイヤレス通信のための装置であって、
物理層（ＰＨＹ）ヘッダとメディアアクセス制御（ＭＡＣ）ペイロードとを有する第１のフレームを生成するための手段と、
前記第１のフレームへの応答フレームがある期間内に送信されるべきである旨の指示を前記第１のフレームの前記ＰＨＹヘッダにおいて提供するための手段と、
送信のために前記第１のフレームを出力するための手段と、を備える、ワイヤレス通信のための装置。
［Ｃ４１］
前記ＭＡＣペイロードは、ＭＡＣプロトコルデータユニット（ＭＰＤＵ）、アグリゲーテッドＭＰＤＵ（Ａ−ＭＰＤＵ）、または送信要求（ＲＴＳ）フレームのうちの１つを備える、
Ｃ４０に記載の装置。
［Ｃ４２］
前記第１のフレームの前記ＰＨＹヘッダにおいて提供された前記指示は、１つまたは複数のデバイスのＭＡＣアドレス、前記１つまたは複数のデバイスの部分的ＭＡＣアドレス、前記１つまたは複数のデバイスの関連性識別子（ＡＩＤ）、または前記装置のＭＡＣアドレスのうちの少なくとも１つを備える、
Ｃ４０に記載の装置。
［Ｃ４３］
前記第１のフレームの前記ＰＨＹヘッダにおいて提供された前記指示は、前記応答フレームに関する１つまたは複数のＰＨＹ送信パラメータとモードとを備える、
Ｃ４０に記載の装置。
［Ｃ４４］
前記１つまたは複数のＰＨＹ送信パラメータは、前記応答フレームが単一ユーザ（ＳＵ）または複数ユーザ（ＭＵ）フレームのいずれとして送信されるべきであるかの指示、前記応答フレームに関する帯域幅、前記応答フレームに関する変調およびコーディング方式（ＭＳＣ）、前記応答フレームに関するガード間隔（ＧＩ）、前記応答フレームに関する空間ストリームの数、または前記応答フレームの継続時間のうちの少なくとも１つを備える、
Ｃ４３に記載の装置。
［Ｃ４５］
前記指示は、前記第１のフレームの前記ＰＨＹヘッダのブロードキャストフィールドを介して提供される、
Ｃ４０に記載の装置。
［Ｃ４６］
無線局であって、
少なくとも１本のアンテナと、
前記少なくとも１本のアンテナを介して、物理層（ＰＨＹ）ヘッダとメディアアクセス制御（ＭＡＣ）ペイロードとを有する第１のフレームを受信するように構成された受信機と、
前記第１のフレームの前記ＰＨＹヘッダにおいて提供された指示に基づいて、前記第１のフレームへの応答フレームがある期間内に送信されるべきであると決定するように構成された処理システムと、を備える、無線局。
［Ｃ４７］
アクセスポイントであって、
少なくとも１本のアンテナと、
物理（ＰＨＹ）層とメディアアクセス制御（ＭＡＣ）ペイロードとを有する第１のフレームを生成するようにおよび前記第１のフレームへの応答フレームがある期間内に送信されるべきである旨の指示を前記第１のフレームの前記ＰＨＹヘッダにおいて提供するように構成された処理システムと、
前記少なくとも１本のアンテナを介して、送信のために前記第１のフレームを送信するように構成された送信機と、を備える、アクセスポイント。
［Ｃ４８］
コンピュータ可読媒体であって、
物理層（ＰＨＹ）ヘッダとメディアアクセス制御（ＭＡＣ）ペイロードとを有する第１のフレームを得、および、
前記第１のフレームの前記ＰＨＹヘッダにおいて提供された指示に基づいて、前記第１のフレームへの応答フレームがある期間内に送信されるべきであると決定するために格納された命令を有する、コンピュータ可読媒体。
［Ｃ４９］
コンピュータ可読媒体であって、
物理層（ＰＨＹ）ヘッダとメディアアクセス制御（ＭＡＣ）ペイロードとを有する第１のフレームを生成し、
前記第１のフレームへの応答フレームがある期間内に送信されるべきである旨の指示を前記第１のフレームの前記ＰＨＹヘッダにおいて提供し、および、
送信のために前記第１のフレームを出力するために格納された命令を有する、コンピュータ可読媒体。
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
物理層（ＰＨＹ）ヘッダとメディアアクセス制御（ＭＡＣ）ペイロードとを有する第１のフレームを得るように構成された第１のインタフェースと、
前記第１のフレームの前記ＰＨＹヘッダにおいて提供された指示に基づいて、前記第１のフレームへの応答フレームがある期間内に送信されるべきであると決定し、
前記第１のフレームの前記ＰＨＹヘッダにおいて提供された前記指示に基づいて、前記応答フレームを生成するときに使用されるべき１つまたは複数のパラメータを決定し、
前記１つまたは複数のパラメータに基づいて、前記ＭＡＣペイロードを復号することが完了する前に前記応答フレームの少なくとも第１の部分を生成する
ように構成された処理システムと、
前記ＭＡＣペイロードを復号することが完了する前に、送信のために前記応答フレームの前記少なくとも第１の部分を出力するように構成された第２のインタフェースと
を備える、ワイヤレス通信のための装置。
【請求項２】
前記処理システムは、前記決定に基づいて前記応答フレームを生成するように構成され、
前記第２のインタフェースは、前記ある期間内での送信のために前記応答フレームを出力するように構成される、
請求項１に記載の装置。
【請求項３】
前記処理システムは、前記第１のフレームに関して使用される１つまたは複数のＰＨＹ送信パラメータおよびモードに基づいて、前記応答フレームに関する１つまたは複数のＰＨＹ送信パラメータおよびモードを決定するように構成される、
請求項１に記載の装置。
【請求項４】
前記処理システムは、前記第１のフレームに関して使用される帯域幅に基づいて、前記応答フレームに関する帯域幅を決定するように構成される、
請求項１に記載の装置。
【請求項５】
前記処理システムは、
前記第１のフレームの前記復号されたＭＡＣペイロードに基づいて前記応答フレームに関するＭＡＣ内容物を決定し、
前記決定されたＭＡＣ内容物を有する前記応答フレームを生成する
ように構成される、請求項１に記載の装置。
【請求項６】
前記第１の部分は、前記応答フレームの少なくともＰＨＹヘッダを備える、
請求項１に記載の装置。
【請求項７】
前記応答フレームは、データフレーム、肯定応答（ＡＣＫ）フレーム、ブロックＡＣＫ（ＢＡ）フレーム、または送信クリア（ＣＴＳ）フレームのうちの１つを備える、
請求項１に記載の装置。
【請求項８】
前記第１のフレームの前記ＰＨＹヘッダにおいて提供された前記指示は、前記装置のＭＡＣアドレス、前記装置の部分的ＭＡＣアドレス、前記装置の関連性識別子（ＡＩＤ）、または前記第１のフレームのソースのＭＡＣアドレスを備える、
請求項１に記載の装置。
【請求項９】
ワイヤレス通信のための装置であって、
物理層（ＰＨＹ）ヘッダとメディアアクセス制御（ＭＡＣ）ペイロードとを有する第１のフレームを生成するようにおよび前記第１のフレームへの応答フレームがある期間内に送信されるべきである旨の指示を前記第１のフレームの前記ＰＨＹヘッダにおいて提供するように構成された処理システムと、ここにおいて、前記第１のフレームの前記ＰＨＹヘッダにおける前記指示は、前記応答フレームが、前記ＭＡＣペイロードを復号することが完了する前に、生成されるべきであることを示し、前記応答フレームを生成するときに使用されるべき１つまたは複数のパラメータをさらに示す、
送信のために前記第１のフレームを出力するように構成された第１のインタフェースと、
を備える、ワイヤレス通信のための装置。
【請求項１０】
前記ＭＡＣペイロードは、ＭＡＣプロトコルデータユニット（ＭＰＤＵ）、アグリゲーテッドＭＰＤＵ（Ａ−ＭＰＤＵ）、または送信要求（ＲＴＳ）フレームのうちの１つを備える、
請求項９に記載の装置。
【請求項１１】
前記第１のフレームの前記ＰＨＹヘッダにおいて提供された前記指示は、１つまたは複数のデバイスのＭＡＣアドレス、前記１つまたは複数のデバイスの部分的ＭＡＣアドレス、前記１つまたは複数のデバイスの関連性識別子（ＡＩＤ）、または前記装置のＭＡＣアドレスのうちの少なくとも１つを備える、
請求項９に記載の装置。
【請求項１２】
前記第１のフレームの前記ＰＨＹヘッダにおいて提供された前記指示は、前記応答フレームに関する１つまたは複数のＰＨＹ送信パラメータおよびモードを備える、
請求項９に記載の装置。
【請求項１３】
前記１つまたは複数のＰＨＹ送信パラメータは、前記応答フレームが単一ユーザ（ＳＵ）または複数ユーザ（ＭＵ）フレームのいずれとして送信されるべきであるかの指示、前記応答フレームに関する帯域幅、前記応答フレームに関する変調およびコーディング方式（ＭＳＣ）、前記応答フレームに関するガード間隔（ＧＩ）、前記応答フレームに関する空間ストリームの数、または前記応答フレームの継続時間のうちの少なくとも１つを備える、
請求項１２に記載の装置。
【請求項１４】
前記指示は、前記第１のフレームの前記ＰＨＹヘッダのブロードキャストフィールドを介して提供される、
請求項９に記載の装置。
【請求項１５】
ワイヤレス通信のための方法であって、
物理層（ＰＨＹ）ヘッダとメディアアクセス制御（ＭＡＣ）ペイロードとを有する第１のフレームを得ることと、
前記第１のフレームの前記ＰＨＹヘッダにおいて提供された指示に基づいて、前記第１のフレームへの応答フレームがある期間内に送信されるべきであると決定することと、
前記第１のフレームの前記ＰＨＹヘッダにおいて提供された前記指示に基づいて、前記応答フレームを生成するときに使用されるべき１つまたは複数のパラメータを決定することと、
前記１つまたは複数のパラメータに基づいて、前記ＭＡＣペイロードを復号することが完了する前に前記応答フレームの少なくとも第１の部分を生成することと、
前記ＭＡＣペイロードを復号することが完了する前に、送信のために前記応答フレームの前記少なくとも第１の部分を出力することと
を備える、ワイヤレス通信のための方法。
【請求項１６】
前記決定に基づいて前記応答フレームを生成することと、
前記ある期間内での送信のために前記応答フレームを出力することと
をさらに備える、請求項１５に記載の方法。
【請求項１７】
前記第１のフレームに関して使用される１つまたは複数のＰＨＹ送信パラメータおよびモードに基づいて、前記応答フレームに関する１つまたは複数のＰＨＹ送信パラメータおよびモードを決定すること
をさらに備える、請求項１５に記載の方法。
【請求項１８】
前記第１のフレームに関して使用される帯域幅に基づいて、前記応答フレームに関する帯域幅を決定すること
をさらに備える、請求項１５に記載の方法。
【請求項１９】
前記第１のフレームの前記復号されたＭＡＣペイロードに基づいて前記応答フレームに関するＭＡＣ内容物を決定することと、
前記決定されたＭＡＣ内容物を有する前記応答フレームを生成することと
をさらに備える、請求項１５に記載の方法。
【請求項２０】
前記第１の部分は、前記応答フレームの少なくともＰＨＹヘッダを備える、
請求項１９に記載の方法。
【請求項２１】
前記応答フレームは、データフレーム、肯定応答（ＡＣＫ）フレーム、ブロックＡＣＫ（ＢＡ）フレーム、または送信クリア（ＣＴＳ）フレームのうちの１つを備える、
請求項１５に記載の方法。
【請求項２２】
前記第１のフレームの前記ＰＨＹヘッダにおいて提供された前記指示は、前記装置のＭＡＣアドレス、前記装置の部分的ＭＡＣアドレス、前記装置の関連性識別子（ＡＩＤ）、または前記第１のフレームのソースのＭＡＣアドレスを備える、
請求項１５に記載の方法。
【請求項２３】
ワイヤレス通信のための方法であって、
物理層（ＰＨＹ）ヘッダとメディアアクセス制御（ＭＡＣ）ペイロードとを有する第１のフレームを生成することと、
前記第１のフレームへの応答フレームがある期間内に送信されるべきである旨の指示を前記第１のフレームの前記ＰＨＹヘッダにおいて提供することと、ここにおいて、前記第１のフレームの前記ＰＨＹヘッダにおける前記指示は、前記応答フレームが、前記ＭＡＣペイロードを復号することが完了する前に、生成されるべきであることを示し、前記応答フレームを生成するときに使用されるべき１つまたは複数のパラメータをさらに示す、
送信のために前記第１のフレームを出力することと、
を備える、ワイヤレス通信のための方法。
【請求項２４】
前記ＭＡＣペイロードは、ＭＡＣプロトコルデータユニット（ＭＰＤＵ）、アグリゲーテッドＭＰＤＵ（Ａ−ＭＰＤＵ）、または送信要求（ＲＴＳ）フレームのうちの１つを備える、
請求項２３に記載の方法。
【請求項２５】
前記第１のフレームの前記ＰＨＹヘッダにおいて提供された前記指示は、１つまたは複数のデバイスのＭＡＣアドレス、前記１つまたは複数のデバイスの部分的ＭＡＣアドレス、前記１つまたは複数のデバイスの関連性識別子（ＡＩＤ）、または前記装置のＭＡＣアドレスのうちの少なくとも１つを備える、
請求項２３に記載の方法。
【請求項２６】
前記第１のフレームの前記ＰＨＹヘッダにおいて提供された前記指示は、前記応答フレームに関する１つまたは複数のＰＨＹ送信パラメータおよびモードを備える、
請求項２３に記載の方法。
【請求項２７】
前記１つまたは複数のＰＨＹ送信パラメータは、前記応答フレームが単一ユーザ（ＳＵ）または複数ユーザ（ＭＵ）フレームのいずれとして送信されるべきであるかの指示、前記応答フレームに関する帯域幅、前記応答フレームに関する変調およびコーディング方式（ＭＳＣ）、前記応答フレームに関するガード間隔（ＧＩ）、前記応答フレームに関する空間ストリームの数、または前記応答フレームの継続時間のうちの少なくとも１つを備える、
請求項２６に記載の方法。
【請求項２８】
前記指示は、前記第１のフレームの前記ＰＨＹヘッダのブロードキャストフィールドを介して提供される、
請求項２３に記載の方法。
【請求項２９】
ワイヤレス通信のための装置であって、
物理層（ＰＨＹ）ヘッダとメディアアクセス制御（ＭＡＣ）ペイロードとを有する第１のフレームを得るための手段と、
前記第１のフレームの前記ＰＨＹヘッダにおいて提供された指示に基づいて、前記第１のフレームへの応答フレームがある期間内に送信されるべきであると決定するための手段と、
前記第１のフレームの前記ＰＨＹヘッダにおいて提供された前記指示に基づいて、前記応答フレームを生成するときに使用されるべき１つまたは複数のパラメータを決定するための手段と、
前記１つまたは複数のパラメータに基づいて、前記ＭＡＣペイロードを復号することが完了する前に前記応答フレームの少なくとも第１の部分を生成するための手段と、
前記ＭＡＣペイロードを復号することが完了する前に、前記応答フレームの前記少なくとも第１の部分のための手段と
を備える、ワイヤレス通信のための装置。
【請求項３０】
前記決定に基づいて前記応答フレームを生成するための手段と、
前記ある期間内での送信のために前記応答フレームを出力するための手段と
をさらに備える、請求項２９に記載の装置。
【請求項３１】
前記第１のフレームに関して使用される１つまたは複数のＰＨＹ送信パラメータおよびモードに基づいて、前記応答フレームに関する１つまたは複数のＰＨＹ送信パラメータおよびモードを決定するための手段
をさらに備える、請求項２９に記載の装置。
【請求項３２】
前記第１のフレームに関して使用される帯域幅に基づいて、前記応答フレームに関する帯域幅を決定するための手段
をさらに備える、請求項２９に記載の装置。
【請求項３３】
前記第１のフレームの前記復号されたＭＡＣペイロードに基づいて前記応答フレームに関するＭＡＣ内容物を決定するための手段と、
前記決定されたＭＡＣ内容物を有する前記応答フレームを生成するための手段と、
をさらに備える、請求項２９に記載の装置。
【請求項３４】
前記第１の部分は、前記応答フレームの少なくともＰＨＹヘッダを備える、
請求項２９に記載の装置。
【請求項３５】
前記応答フレームは、データフレーム、肯定応答（ＡＣＫ）フレーム、ブロックＡＣＫ（ＢＡ）フレーム、または送信クリア（ＣＴＳ）フレームのうちの１つを備える、
請求項２９に記載の装置。
【請求項３６】
前記第１のフレームの前記ＰＨＹヘッダにおいて提供された前記指示は、前記装置のＭＡＣアドレス、前記装置の部分的ＭＡＣアドレス、前記装置の関連性識別子（ＡＩＤ）、または前記第１のフレームのソースのＭＡＣアドレスを備える、
請求項２９に記載の装置。
【請求項３７】
ワイヤレス通信のための装置であって、
物理層（ＰＨＹ）ヘッダとメディアアクセス制御（ＭＡＣ）ペイロードとを有する第１のフレームを生成するための手段と、
前記第１のフレームへの応答フレームがある期間内に送信されるべきである旨の指示を前記第１のフレームの前記ＰＨＹヘッダにおいて提供するための手段と、ここにおいて、前記第１のフレームの前記ＰＨＹヘッダにおける前記指示は、前記応答フレームが、前記ＭＡＣペイロードを復号することが完了する前に、生成されるべきであることを示し、前記応答フレームを生成するときに使用されるべき１つまたは複数のパラメータをさらに示す、
送信のために前記第１のフレームを出力するための手段と、
を備える、ワイヤレス通信のための装置。
【請求項３８】
前記ＭＡＣペイロードは、ＭＡＣプロトコルデータユニット（ＭＰＤＵ）、アグリゲーテッドＭＰＤＵ（Ａ−ＭＰＤＵ）、または送信要求（ＲＴＳ）フレームのうちの１つを備える、
請求項３７に記載の装置。
【請求項３９】
前記第１のフレームの前記ＰＨＹヘッダにおいて提供された前記指示は、１つまたは複数のデバイスのＭＡＣアドレス、前記１つまたは複数のデバイスの部分的ＭＡＣアドレス、前記１つまたは複数のデバイスの関連性識別子（ＡＩＤ）、または前記装置のＭＡＣアドレスのうちの少なくとも１つを備える、
請求項３７に記載の装置。
【請求項４０】
前記第１のフレームの前記ＰＨＹヘッダにおいて提供された前記指示は、前記応答フレームに関する１つまたは複数のＰＨＹ送信パラメータおよびモードを備える、
請求項３７に記載の装置。
【請求項４１】
前記１つまたは複数のＰＨＹ送信パラメータは、前記応答フレームが単一ユーザ（ＳＵ）または複数ユーザ（ＭＵ）フレームのいずれとして送信されるべきであるかの指示、前記応答フレームに関する帯域幅、前記応答フレームに関する変調およびコーディング方式（ＭＳＣ）、前記応答フレームに関するガード間隔（ＧＩ）、前記応答フレームに関する空間ストリームの数、または前記応答フレームの継続時間のうちの少なくとも１つを備える、
請求項４０に記載の装置。
【請求項４２】
前記指示は、前記第１のフレームの前記ＰＨＹヘッダのブロードキャストフィールドを介して提供される、
請求項３７に記載の装置。
【請求項４３】
無線局であって、
少なくとも１本のアンテナと、
前記少なくとも１本のアンテナを介して、物理層（ＰＨＹ）ヘッダとメディアアクセス制御（ＭＡＣ）ペイロードとを有する第１のフレームを受信するように構成された受信機と、
前記第１のフレームの前記ＰＨＹヘッダにおいて提供された指示に基づいて、前記第１のフレームへの応答フレームがある期間内に送信されるべきであると決定し、
前記第１のフレームの前記ＰＨＹヘッダにおいて提供された前記指示に基づいて、前記応答フレームを生成するときに使用されるべき１つまたは複数のパラメータを決定し、
前記１つまたは複数のパラメータに基づいて、前記ＭＡＣペイロードを復号することが完了する前に前記応答フレームの少なくとも第１の部分を生成する、
ように構成された処理システムと、
前記ＭＡＣペイロードを復号することが完了する前に、前記応答フレームの前記少なくとも第１の部分を送信するように構成された送信機と
を備える、無線局。
【請求項４４】
アクセスポイントであって、
少なくとも１本のアンテナと、
物理層（ＰＨＹ）ヘッダとメディアアクセス制御（ＭＡＣ）ペイロードとを有する第１のフレームを生成するようにおよび前記第１のフレームへの応答フレームがある期間内に送信されるべきである旨の指示を前記第１のフレームの前記ＰＨＹヘッダにおいて提供するように構成された処理システムと、ここにおいて、前記第１のフレームの前記ＰＨＹヘッダにおける前記指示は、前記応答フレームが、前記ＭＡＣペイロードを復号することが完了する前に、生成されるべきであることを示し、前記応答フレームを生成するときに使用されるべき１つまたは複数のパラメータをさらに示す、
前記少なくとも１本のアンテナを介して、送信のために前記第１のフレームを送信するように構成された送信機と
を備える、アクセスポイント。
【請求項４５】
コンピュータ可読媒体であって、
物理層（ＰＨＹ）ヘッダとメディアアクセス制御（ＭＡＣ）ペイロードとを有する第１のフレームを得、
前記第１のフレームの前記ＰＨＹヘッダにおいて提供された指示に基づいて、前記第１のフレームへの応答フレームがある期間内に送信されるべきであると決定し、
前記第１のフレームの前記ＰＨＹヘッダにおいて提供された前記指示に基づいて、前記応答フレームを生成するときに使用されるべき１つまたは複数のパラメータを決定し、
前記１つまたは複数のパラメータに基づいて、前記ＭＡＣペイロードを復号することが完了する前に前記応答フレームの少なくとも第１の部分を生成し、
前記ＭＡＣペイロードを復号することが完了する前に、前記応答フレームの前記少なくとも第１の部分を出力する
ために格納された命令を有する、コンピュータ可読媒体。
【請求項４６】
コンピュータ可読媒体であって、
物理層（ＰＨＹ）ヘッダとメディアアクセス制御（ＭＡＣ）ペイロードとを有する第１のフレームを生成し、
前記第１のフレームへの応答フレームがある期間内に送信されるべきである旨の指示を前記第１のフレームの前記ＰＨＹヘッダにおいて提供し、ここにおいて、前記第１のフレームの前記ＰＨＹヘッダにおける前記指示は、前記応答フレームが、前記ＭＡＣペイロードを復号することが完了する前に、生成されるべきであることを示し、前記応答フレームを生成するときに使用されるべき１つまたは複数のパラメータをさらに示す、
送信のために前記第１のフレームを出力する
ために格納された命令を有する、コンピュータ可読媒体。
【国際調査報告】
2017539175.tif 000016
2017539175.tif 000017
2017539175.tif 000018